(57)【要約】【課題】ユーザが簡便な操作でポイントカード等の会員サービスを新しく統括サービスに登録できる方法が望まれていた。【解決手段】複数の会員サービスを統括する統括サービスを利用するための携帯端末であって、会員サービスの会員ＩＤを記憶する、外部の読取装置から無線通信により読み取り可能な記憶領域と、記憶領域に記憶された第１会員サービスの第１会員ＩＤを読み出す記憶領域読出部と、当該携帯端末を用いて統括サービスを利用する統括会員に対応付けられた統括会員コードおよび記憶領域読出部が読み出した第１会員ＩＤを、統括サービスを提供する統括装置に送信して、第１会員サービスの第１会員ＩＤを、統括サービスにおいて統括会員に対応付けることを指示する会員ＩＤ送信部と、を備える携帯端末、当該携帯端末を用いた方法、当該携帯端末に用いるプログラムを提供する。【選択図】図１
2017097486.tif 000002
【特許請求の範囲】
【請求項１】
複数の会員サービスを統括する統括サービスを利用するための携帯端末であって、
会員サービスの会員ＩＤを記憶する、外部の読取装置から無線通信により読み取り可能な記憶領域と、
前記記憶領域に記憶された第１会員サービスの第１会員ＩＤを読み出す記憶領域読出部と、
当該携帯端末を用いて前記統括サービスを利用する統括会員に対応付けられた統括会員コードおよび前記記憶領域読出部が読み出した前記第１会員ＩＤを、前記統括サービスを提供する統括装置に送信して、前記第１会員サービスの前記第１会員ＩＤを、前記統括サービスにおいて前記統括会員に対応付けることを指示する会員ＩＤ送信部と、
を備える携帯端末。
【請求項２】
前記携帯端末の利用者を認証する認証処理部を更に備え、
前記記憶領域読出部は、前記認証処理部による認証が成功したことに応じて、前記記憶領域から前記第１会員ＩＤを読み出す請求項１に記載の携帯端末。
【請求項３】
前記認証処理部による認証が成功したことに応じて、前記記憶領域における前記第１会員ＩＤが記憶された領域の読み出しに用いる第１領域コードを取得する領域コード取得部を更に備え、
前記記憶領域読出部は、前記第１領域コードを用いて前記記憶領域から前記第１会員ＩＤを読み出す請求項２に記載の携帯端末。
【請求項４】
前記記憶領域読出部は、前記認証処理部による認証が成功したことに応じて、前記記憶領域から前記統括会員コードを読み出し、
前記領域コード取得部は、前記統括会員コードに対応付けられた前記第１領域コードを取得する
請求項３に記載の携帯端末。
【請求項５】
複数の会員サービスを統括する統括サービスを携帯端末により利用する方法であって、
前記携帯端末は、会員サービスの会員ＩＤを記憶する、外部の読取装置から無線通信により読み取り可能な記憶領域を有し、
当該方法は、
前記記憶領域に記憶された第１会員サービスの第１会員ＩＤを読み出す記憶領域読出段階と、
前記携帯端末を用いて前記統括サービスを利用する統括会員に対応付けられた統括会員コードおよび前記記憶領域読出段階によって読み出した前記第１会員ＩＤを、前記統括サービスを提供する統括装置に送信して、前記第１会員サービスの前記第１会員ＩＤを、前記統括サービスにおいて前記統括会員に対応付けることを指示する会員ＩＤ送信段階と、
を備える方法。
【請求項６】
複数の会員サービスを統括する統括サービスを利用するための携帯端末で実行されるプログラムであって、
前記携帯端末は、
会員サービスの会員ＩＤを記憶する、外部の読取装置から無線通信により読み取り可能な記憶領域を有し、
当該プログラムは、前記携帯端末を、
前記記憶領域に記憶された第１会員サービスの第１会員ＩＤを読み出す記憶領域読出部と、
当該携帯端末を用いて前記統括サービスを利用する統括会員に対応付けられた統括会員コードおよび前記記憶領域読出部が読み出した前記第１会員ＩＤを、前記統括サービスを提供する統括装置に送信して、前記第１会員サービスの前記第１会員ＩＤを、前記統括サービスにおいて前記統括会員に対応付けることを指示する会員ＩＤ送信部と、
して機能させるプログラム。
【請求項７】
複数の会員サービスを統括する統括サービスを提供する統括装置であって、
前記統括サービスを利用する統括会員に対応付けて、統括会員コードと、当該統括会員が利用する少なくとも１つの会員サービスの会員ＩＤとを記憶する統括会員記憶部と、
請求項１から４のいずれか一項に記載の携帯端末から、前記統括会員コードおよび前記第１会員ＩＤを受信する会員ＩＤ受信部と、
前記統括会員記憶部をアクセスして、前記会員ＩＤ受信部が受信した前記統括会員コードに対応する前記統括会員に、前記第１会員ＩＤを対応付ける登録処理部と、
を備える統括装置。
【請求項８】
複数の会員サービスを統括する統括サービスを提供する、コンピュータにより実行される方法であって、
前記統括サービスを利用する統括会員に対応付けて、統括会員コードと、当該統括会員が利用する少なくとも１つの会員サービスの会員ＩＤとを記憶領域に記憶する統括会員記憶段階と、
請求項１から４のいずれか一項に記載の携帯端末から、前記統括会員コードおよび前記第１会員ＩＤを受信する会員ＩＤ受信段階と、
前記記憶領域をアクセスして、前記会員ＩＤ受信段階により受信した前記統括会員コードに対応する前記統括会員に、前記第１会員ＩＤを対応付ける登録処理段階と、
を備える方法。
【請求項９】
コンピュータを、
複数の会員サービスを統括する統括サービスを提供する統括装置であって、
前記統括サービスを利用する統括会員に対応付けて、統括会員コードと、当該統括会員が利用する少なくとも１つの会員サービスの会員ＩＤとを記憶する統括会員記憶部と、
請求項１から４のいずれか一項に記載の携帯端末から、前記統括会員コードおよび前記第１会員ＩＤを受信する会員ＩＤ受信部と、
前記統括会員記憶部をアクセスして、前記会員ＩＤ受信部が受信した前記統括会員コードに対応する前記統括会員に、前記第１会員ＩＤを対応付ける登録処理部と、
を備える統括装置として機能させるプログラム。
【請求項１０】
複数の会員サービスを統括する統括サービスを提供する統括装置と連携する会員システムであって、
前記統括サービスを利用する携帯端末から、当該会員システムが提供する会員サービスの会員ＩＤおよび前記統括サービスの統括会員コードを取得する会員ＩＤ取得部と、
前記会員ＩＤ取得部が取得した前記統括会員コードおよび前記会員ＩＤを前記統括装置へと送信して、前記統括会員コードに前記会員ＩＤを対応付けることを指示する会員ＩＤ送信部と、
を備える会員システム。
【請求項１１】
前記会員ＩＤ取得部は、当該会員システムが備える店舗端末により、前記携帯端末に設けられた非接触通信により読み取り可能な記憶領域から、非接触通信を介して前記統括会員コードおよび前記会員ＩＤを読み取る請求項１０に記載の会員システム。
【請求項１２】
前記会員ＩＤ取得部は、当該会員システムが提供する会員サービスのサービス提供者の店舗に来店した前記携帯端末と無線通信して、前記統括会員コードおよび前記会員ＩＤを読み取る請求項１０または１１に記載の会員システム。
【請求項１３】
複数の会員サービスを統括する統括サービスを提供する統括装置と連携する、コンピュータにより実行される方法であって、
前記統括サービスを利用する携帯端末から、当該会員システムが提供する会員サービスの会員ＩＤおよび前記統括サービスの統括会員コードを取得する会員ＩＤ取得段階と、
前記会員ＩＤ取得段階によって取得した前記統括会員コードおよび前記会員ＩＤを前記統括装置へと送信して、前記統括会員コードに前記会員ＩＤを対応付けることを指示する会員ＩＤ送信段階と、
を備える方法。
【請求項１４】
コンピュータを、
複数の会員サービスを統括する統括サービスを提供する統括装置と連携する会員システムであって、
前記統括サービスを利用する携帯端末から、当該会員システムが提供する会員サービスの会員ＩＤおよび前記統括サービスの統括会員コードを取得する会員ＩＤ取得部と、
前記会員ＩＤ取得部が取得した前記統括会員コードおよび前記会員ＩＤを前記統括装置へと送信して、前記統括会員コードに前記会員ＩＤを対応付けることを指示する会員ＩＤ送信部と、
を備える会員システムとして機能させるプログラム。
【請求項１５】
複数の会員サービスを統括する統括サービスを提供する統括装置と連携する会員システムであって、
当該会員システムが提供する第１会員サービスを利用する携帯端末に対して、当該携帯端末の利用者が有する前記統括サービスの統括会員ＩＤを入力させる入力画面を表示させるための入力画面フォームを送信する入力画面送信部と、
前記入力画面に対して入力された前記統括会員ＩＤを前記携帯端末から取得する統括会員ＩＤ取得部と、
前記第１会員サービスにおける前記携帯端末の利用者の第１会員ＩＤおよび前記統括会員ＩＤ取得部が取得した前記統括会員ＩＤを前記統括装置に送信して、前記統括会員ＩＤおよび前記第１会員ＩＤを対応付けることを指示する会員ＩＤ送信部と、
を備える会員システム。
【請求項１６】
複数の会員サービスを統括する統括サービスを提供する統括装置と連携する、コンピュータにより実行される方法であって、
当該会員システムが提供する第１会員サービスを利用する携帯端末に対して、当該携帯端末の利用者が有する前記統括サービスの統括会員ＩＤを入力させる入力画面を表示させるための入力画面フォームを送信する入力画面送信段階と、
前記入力画面に対して入力された前記統括会員ＩＤを前記携帯端末から取得する統括会員ＩＤ取得段階と、
前記第１会員サービスにおける前記携帯端末の利用者の第１会員ＩＤおよび前記統括会員ＩＤ取得段階によって取得した前記統括会員ＩＤを前記統括装置に送信して、前記統括会員ＩＤおよび前記第１会員ＩＤを対応付けることを指示する会員ＩＤ送信段階と、
を備える方法。
【請求項１７】
コンピュータを、
複数の会員サービスを統括する統括サービスを提供する統括装置と連携する会員システムであって、
当該会員システムが提供する第１会員サービスを利用する携帯端末に対して、当該携帯端末の利用者が有する前記統括サービスの統括会員ＩＤを入力させる入力画面を表示させるための入力画面フォームを送信する入力画面送信部と、
前記入力画面に対して入力された前記統括会員ＩＤを前記携帯端末から取得する統括会員ＩＤ取得部と、
前記第１会員サービスにおける前記携帯端末の利用者の第１会員ＩＤおよび前記統括会員ＩＤ取得部が取得した前記統括会員ＩＤを前記統括装置に送信して、前記統括会員ＩＤおよび前記第１会員ＩＤを対応付けることを指示する会員ＩＤ送信部と、
を備える会員システムとして機能させるプログラム。
【請求項１８】
複数の会員サービスを統括する統括サービスを提供する統括装置であって、
第１会員サービスを提供する第１会員システム、または前記統括サービスを利用する携帯端末からの要求に応じて、前記第１会員システムの会員の会員ＩＤを、前記統括サービスにおける当該会員に対応する統括会員の統括会員ＩＤに対応付ける登録処理部と、
前記統括会員ＩＤに対応付けられた前記統括会員の属性情報を取得する属性情報取得部と、
前記取得した属性情報を前記第１会員システムに提供する属性情報提供部と、
を備える統括装置。
【請求項１９】
前記統括サービスを利用する統括会員に対応付けて、前記統括会員の属性情報を記憶する属性情報記憶部を更に備え、
前記属性情報取得部は、前記統括会員の属性情報を前記属性情報記憶部から取得する請求項１８に記載の統括装置。
【請求項２０】
前記属性情報取得部は、前記統括会員の前記携帯端末から、前記統括会員の属性情報を取得する請求項１８に記載の統括装置。
【請求項２１】
複数の会員サービスを統括する統括サービスを提供する、コンピュータにより実行される方法であって、
第１会員サービスを提供する第１会員システム、または前記統括サービスを利用する携帯端末からの要求に応じて、前記第１会員システムの会員の会員ＩＤを、前記統括サービスにおける当該会員に対応する統括会員の統括会員ＩＤに対応付ける登録処理段階と、
前記統括会員ＩＤに対応付けられた前記統括会員の属性情報を取得する属性情報取得段階と、
前記取得した属性情報を前記第１会員システムに提供する属性情報提供段階と、
を備える方法。
【請求項２２】
コンピュータを、
複数の会員サービスを統括する統括サービスを提供する統括装置であって、
第１会員サービスを提供する第１会員システム、または前記統括サービスを利用する携帯端末からの要求に応じて、前記第１会員システムの会員の会員ＩＤを、前記統括サービスにおける当該会員に対応する統括会員の統括会員ＩＤに対応付ける登録処理部と、
前記統括会員ＩＤに対応付けられた前記統括会員の属性情報を取得する属性情報取得部と、
前記取得した属性情報を前記第１会員システムに提供する属性情報提供部と、
を備える統括装置として機能させるプログラム。
【請求項２３】
会員サービスを提供する提供装置であって、
前記会員サービスを利用する携帯端末から認証要求を受信する認証要求受信部と、
前記認証要求を受信したことに応じて、前記会員サービスを利用する携帯端末に設けられた、非接触通信により読み取り可能な記憶領域に記憶された会員コードの読出要求を前記携帯端末に対して送信する読出要求送信部と、
前記読出要求に応じて前記携帯端末から読み出された会員コードを含む読出応答を受信する読出応答受信部と、
前記読出応答に含まれる会員コードが、前記携帯端末の利用者に割り当てられた会員コードと一致することを必要条件として、認証を成功させる認証処理部と、
を備える提供装置。
【請求項２４】
前記認証要求受信部は、前記携帯端末にインストールされた会員アプリケーションに割り当てられたアプリケーションコードを含む前記認証要求を受信し、
前記認証処理部は、前記認証要求に含まれるアプリケーションコードが、当該提供装置が前記携帯端末に対応付けて記憶したアプリケーションコードと一致したことを必要条件として、認証を成功させる
請求項２３に記載の提供装置。
【請求項２５】
前記認証要求受信部は、前記携帯端末の利用者が前記会員サービスに会員登録したことに応じて当該利用者に割り当てられたチェックコードを含む前記認証要求を受信し、
前記認証処理部は、前記認証要求に含まれるチェックコードが、当該提供装置が前記携帯端末に対応付けて記憶したチェックコードと一致したことを必要条件として、認証を成功させる
請求項２３または２４に記載の提供装置。
【請求項２６】
前記認証要求受信部は、前記携帯端末の利用者が入力したパスワードを含む前記認証要求を受信し、
前記認証処理部は、前記認証要求に含まれるパスワードが、当該提供装置が前記携帯端末の利用者に対応付けて記憶したパスワードと一致したことを必要条件として、認証を成功させる
請求項２３から２５のいずれか一項に記載の提供装置。
【請求項２７】
会員サービスを提供する、コンピュータにより実行される方法であって、
前記会員サービスを利用する携帯端末から認証要求を受信する認証要求受信段階と、
前記認証要求を受信したことに応じて、前記会員サービスを利用する携帯端末に設けられた、非接触通信により読み取り可能な記憶領域に記憶された会員コードの読出要求を前記携帯端末に対して送信する読出要求送信段階と、
前記読出要求に応じて前記携帯端末から読み出された会員コードを含む読出応答を受信する読出応答受信段階と、
前記読出応答に含まれる会員コードが、前記携帯端末の利用者に割り当てられた会員コードと一致することを必要条件として、認証を成功させる認証処理段階と、
を備える方法。
【請求項２８】
コンピュータを、
会員サービスを提供する提供装置であって、
前記会員サービスを利用する携帯端末から認証要求を受信する認証要求受信部と、
前記認証要求を受信したことに応じて、前記会員サービスを利用する携帯端末に設けられた、非接触通信により読み取り可能な記憶領域に記憶された会員コードの読出要求を前記携帯端末に対して送信する読出要求送信部と、
前記読出要求に応じて前記携帯端末から読み出された会員コードを含む読出応答を受信する読出応答受信部と、
前記読出応答に含まれる会員コードが、前記携帯端末の利用者に割り当てられた会員コードと一致することを必要条件として、認証を成功させる認証処理部と、
を備える提供装置として機能させるプログラム。
【発明の詳細な説明】
【技術分野】
【０００１】
本発明は、携帯端末、統括装置、会員システム、提供装置、これらを用いた方法、およびこれらに用いられるプログラムに関する。
【背景技術】
【０００２】
画面上でバーコードを表示することで、携帯端末により複数のポイントカード等を使用可能にする技術が知られている（例えば、特許文献１〜２）。
［特許文献１］  特開２００３−４４９３４号
［特許文献２］  特開２００３−１６５３４号
【発明の概要】
【発明が解決しようとする課題】
【０００３】
しかし、特許文献１〜２によると、各店舗に対応するユーザのポイントデータを統合会社が集中して管理する必要がある。このため、各店舗のポイントデータを処理するための新しい設備およびプログラム等を統合会社が導入する必要があり、統合会社の負担が増大する。また、ユーザが簡便な操作でポイントカード等の会員サービスを新しく統括サービスに登録できる方法が望まれていた。
【課題を解決するための手段】
【０００４】
本発明の第１の態様においては、複数の会員サービスを統括する統括サービスを利用するための携帯端末であって、会員サービスの会員ＩＤを記憶する、外部の読取装置から無線通信により読み取り可能な記憶領域と、記憶領域に記憶された第１会員サービスの第１会員ＩＤを読み出す記憶領域読出部と、当該携帯端末を用いて統括サービスを利用する統括会員に対応付けられた統括会員コードおよび記憶領域読出部が読み出した第１会員ＩＤを、統括サービスを提供する統括装置に送信して、第１会員サービスの第１会員ＩＤを、統括サービスにおいて統括会員に対応付けることを指示する会員ＩＤ送信部と、を備える携帯端末、当該携帯端末を用いた方法、当該携帯端末に用いるプログラムを提供する。
【０００５】
本発明の第２の態様においては、複数の会員サービスを統括する統括サービスを提供する統括装置であって、統括サービスを利用する統括会員に対応付けて、統括会員コードと、当該統括会員が利用する少なくとも１つの会員サービスの会員ＩＤとを記憶する統括会員記憶部と、上述の携帯端末から、統括会員コードおよび第１会員ＩＤを受信する会員ＩＤ受信部と、統括会員記憶部をアクセスして、会員ＩＤ受信部が受信した統括会員コードに対応する統括会員に、第１会員ＩＤを対応付ける登録処理部と、を備える統括装置、当該統括装置を用いた方法、当該統括装置に用いるプログラムを提供する。
【０００６】
本発明の第３の態様においては、複数の会員サービスを統括する統括サービスを提供する統括装置と連携する会員システムであって、統括サービスを利用する携帯端末から、当該会員システムが提供する会員サービスの会員ＩＤおよび統括サービスの統括会員コードを取得する会員ＩＤ取得部と、会員ＩＤ取得部が取得した統括会員コードおよび会員ＩＤを統括装置へと送信して、統括会員コードに会員ＩＤを対応付けることを指示する会員ＩＤ送信部と、を備える会員システム、当該会員システムを用いた方法、当該会員システムに用いるプログラムを提供する。
【０００７】
本発明の第４の態様においては、複数の会員サービスを統括する統括サービスを提供する統括装置と連携する会員システムであって、当該会員システムが提供する第１会員サービスを利用する携帯端末に対して、当該携帯端末の利用者が有する統括サービスの統括会員ＩＤを入力させる入力画面を表示させるための入力画面フォームを送信する入力画面送信部と、入力画面に対して入力された統括会員ＩＤを携帯端末から取得する統括会員ＩＤ取得部と、第１会員サービスにおける携帯端末の利用者の第１会員ＩＤおよび統括会員ＩＤ取得部が取得した統括会員ＩＤを統括装置に送信して、統括会員ＩＤおよび第１会員ＩＤを対応付けることを指示する会員ＩＤ送信部と、を備える会員システム、当該会員システムを用いた方法、当該会員システムに用いるプログラムを提供する。
【０００８】
本発明の第５の態様においては、複数の会員サービスを統括する統括サービスを提供する統括装置であって、第１会員サービスを提供する第１会員システム、または統括サービスを利用する携帯端末からの要求に応じて、第１会員システムの会員の会員ＩＤを、統括サービスにおける当該会員に対応する統括会員の統括会員ＩＤに対応付ける登録処理部と、統括会員ＩＤに対応付けられた統括会員の属性情報を取得する属性情報取得部と、取得した属性情報を第１会員システムに提供する属性情報提供部と、を備える統括装置、当該統括装置を用いた方法、当該統括装置に用いるプログラムを提供する。
【０００９】
本発明の第６の態様においては、会員サービスを提供する提供装置であって、会員サービスを利用する携帯端末から認証要求を受信する認証要求受信部と、認証要求を受信したことに応じて、会員サービスを利用する携帯端末に設けられた、非接触通信により読み取り可能な記憶領域に記憶された会員コードの読出要求を携帯端末に対して送信する読出要求送信部と、読出要求に応じて携帯端末から読み出された会員コードを含む読出応答を受信する読出応答受信部と、読出応答に含まれる会員コードが、携帯端末の利用者に割り当てられた会員コードと一致することを必要条件として、認証を成功させる認証処理部と、を備える提供装置、当該提供装置を用いた方法、当該提供装置に用いるプログラムを提供する。
【００１０】
なお、上記の発明の概要は、本発明の特徴の全てを列挙したものではない。また、これらの特徴群のサブコンビネーションもまた、発明となりうる。
【図面の簡単な説明】
【００１１】
【図１】本実施形態に係る統括システム１を示す。
【図２】統括システム１の会員情報を表示するための処理フローを示す。
【図３】携帯端末１０の会員情報表示画面の一例を示す。
【図４】携帯端末１０の利用履歴一覧画面の一例を示す。
【図５】統括会員記憶部３００が記憶する統括会員情報の一例を示す。
【図６】会員ＩＤ記憶部２１０が記憶する会員情報の一例を示す。
【図７】携帯端末１０が会員サービスを登録するための処理フローを示す。
【図８】携帯端末１０の未登録サービス一覧表示画面の一例を示す。
【図９】携帯端末１０の会員サービス追加画面の一例を示す。
【図１０】統括装置３０が携帯端末１０を認証するための処理フローを示す。
【図１１】携帯端末１０が会員サービスを登録するための処理フローを示す。
【図１２】携帯端末１０が会員サービスを登録するための処理フローを示す。
【図１３】複数の会員サービスを統括する統括サービスを提供するための処理フローを示す。
【図１４】携帯端末１０の会員サービス提供結果画面の一例を示す。
【図１５】古い方の携帯端末１０からデータを移行させるための処理フローを示す。
【図１６】新しい方の携帯端末１０にデータを移行させるための処理フローを示す。
【図１７】本実施形態に係るコンピュータ１９００の構成の一例を示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係る統括システム１を示す。統括システム１は、ネットワーク２を介して互いに接続された複数の携帯端末１０、複数の会員システム２０、および統括装置３０を備え、これらが互いに連携して、携帯端末１０を操作する利用者に対して複数の会員サービスを統括する統括サービスを提供する。また、統括システム１は、携帯端末１０の利用者が統括サービスに会員サービスを登録することを可能にして、利用者に統括サービスを利用させる。
【００１４】
ここで、本実施の形態に係る統括システム１おいては、携帯端末１０からの登録要求に応じて、会員サービスが統括サービスに登録される。携帯端末１０からの登録要求は、統括装置３０と、登録対象の会員システム２０との何れに対して行われてもよい。
【００１５】
［携帯端末１０の説明］
複数の携帯端末１０のそれぞれは、インターネット等のネットワーク２を介して会員システム２０および統括装置３０に接続され、複数の会員サービスおよび複数の会員サービスを統括する統括サービスを利用する。携帯端末１０の各利用者は、１以上の会員サービス（例えば、ポイントカードサービス等）に予め「会員」として利用登録し、利用登録済みの会員サービスの会員ＩＤが各利用者に発行されている。また、携帯端末１０の各利用者は、予め統括サービスに「統括会員」として利用登録して、１以上の利用登録済みの会員サービスの少なくとも一部を統括サービスに登録しており、統括サービスの統括会員ＩＤが各利用者に発行されている。
【００１６】
以下、１つの携帯端末１０を説明する。携帯端末１０は、記憶部１００、認証処理部１２０、領域コード取得部１２５、登録要求処理部１３０、アクセス処理部１４０、記憶領域読出部１６０、会員ＩＤ送信部１６５、統括コード送信部１７０、および会員情報処理部１８０を有する。
【００１７】
記憶部１００は、携帯端末１０の各種機能を実現するためのプログラムおよびデータを記憶する。記憶部１００は、端末情報記憶領域１１２と、記憶領域１１５とを有する。
【００１８】
端末情報記憶領域１１２は、携帯端末１０の処理に必要な情報を記憶する。端末情報記憶領域１１２は、ハードディスク、ソリッドステートドライブまたはフラッシュメモリ等の不揮発性メモリであってよい。例えば、端末情報記憶領域１１２は、携帯端末１０にダウンロードされた統括サービスを利用するための統括アプリケーションおよび／または当該統括アプリケーションのダウンロードごとに割り当てられるアプリケーションコードを記憶する。なお、アプリケーションコードは、携帯端末１０が統括アプリケーションをダウンロードおよびインストールする際に統括装置３０等から割り当てられてよい。
【００１９】
また、端末情報記憶領域１１２は、統括アプリケーションに対して利用者が設定したパスワード、および、携帯端末１０の利用者が統括サービスに会員登録したことに応じて当該利用者に割り当てられるチェックコード等を更に記憶してもよい。端末情報記憶領域１１２は、各会員サービスの統括サービスへの登録状況、および、利用者の各会員サービスの利用状況を含む会員情報を更に記憶してもよい。端末情報記憶領域１１２は、携帯端末１０の電話番号およびメールアドレスの他、携帯端末１０が受信したメールデータなどを更に記憶しても良い。
【００２０】
記憶領域１１５は、複数の会員サービスでの、携帯端末１０の利用者の会員ＩＤと、複数の会員サービスを統括するために当該利用者に対応付けられた統括会員コードとを、外部の読取装置から無線通信により読み取り可能に記憶する。統括会員コードは、携帯端末１０を用いて統括サービスを利用する統括会員に対応付けられたコードであり、統括装置３０において統括会員ＩＤの認証に用いられる。記憶領域１１５は、携帯端末１０のセキュアな記憶領域であってよい。例えば、記憶領域１１５は、携帯端末１０が搭載するメモリの暗号化された記憶領域、または、非接触通信機能を搭載したＩＣチップ（一例として、ＦｅｌｉＣａ（登録商標）チップおよびＮＦＣチップ等）の不揮発性メモリであってよい。ここで、ＩＣチップの記憶領域へのアクセスは統括システム１の外部にあってよい管理サーバーに管理されてよい。
【００２１】
なお、複数の会員サービスでの会員ＩＤは、それぞれ別個の領域に記憶されており、会員サービス毎に別個の領域コードによってアクセス制限がかけられている。一例として、第１会員サービスの第１会員ＩＤを記憶領域１１５から読み出すためには、第１会員ＩＤが記憶されている領域に対応する第１領域コードが必要とされる。領域コードは、統括装置３０または統括アプリケーション内に記憶されており、領域コード取得部１２５により取得される。
【００２２】
認証処理部１２０は、携帯端末１０の利用者を認証する。例えば、認証処理部１２０は、利用者にパスワードを入力させ、入力されたパスワードが正しいか否かにより、利用者の認証を行う。また、認証処理部１２０は、携帯端末１０を認証するように要求する認証要求を統括装置３０に送信する。この認証要求は、統括アプリケーションに割り当てられたアプリケーションコード、携帯端末１０に割り当てられたチェックコード、および、携帯端末１０の利用者が入力したパスワードの少なくとも１つを含んでもよい。
【００２３】
領域コード取得部１２５は、認証処理部１２０による認証が成功したことに応じて、記憶領域１１５のうち、何れかの会員ＩＤ（例えば、第１会員ＩＤ）が記憶された領域の読み出しに用いる領域コード（例えば、第１領域コード）を取得する。例えば、領域コード取得部１２５は、統括装置３０または統括アプリケーションから、統括会員コードに対応付けられた領域コードを取得する。
【００２４】
登録要求処理部１３０は、携帯端末１０の利用者が加入する会員サービスの統括サービスへの登録要求が携帯端末１０から統括装置３０に対して行われる場合には、未登録の会員サービスを統括サービスに登録して登録済みの会員サービスと統括することを統括装置３０に要求する。未登録の会員サービスを統括サービスに登録する場合に、例えば、登録要求処理部１３０は、アプリケーションコードを端末情報記憶領域１１２から読み出して統括装置３０に送信するとともに、統括会員コードを記憶領域１１５から読み出して統括装置３０に送信する。
【００２５】
また、登録要求処理部１３０は、古い携帯端末１０で使用していた統括アプリケーションを新しい携帯端末１０で使用するべくデータの引っ越しが行われる場合に、図１５、図１６に関して後述される種々の処理を行う。
【００２６】
アクセス処理部１４０は、統括サービスへの会員サービスの登録要求が携帯端末１０から会員システム２０に対して行われるときに、登録しようとする会員サービスを提供する会員システム２０をアクセスする。例えば、アクセス処理部１４０は、統括会員により携帯端末１０に入力された統括会員ＩＤなどを、会員システム２０に送信する。
【００２７】
記憶領域読出部１６０は、統括サービスへの会員サービスの登録要求が携帯端末１０から統括装置３０に対して行われるとき等に、記憶領域１１５に記憶された情報を読み出す。例えば、記憶領域読出部１６０は、認証処理部１２０による認証が成功したことに応じて、記憶領域１１５から各会員サービスの会員ＩＤ（例えば第１会員ＩＤ）及び統括会員コードを読み出して、読み出した会員ＩＤを会員ＩＤ送信部１６５に送信する。一例として、記憶領域読出部１６０は、第１会員ＩＤを読み出す場合には、第１会員サービスに対応する第１領域コードを領域コード取得部１２５から取得して、当該第１領域コードを用いて記憶領域１１５から第１会員ＩＤを読み出す。
【００２８】
会員ＩＤ送信部１６５は、統括サービスへの会員サービスの登録要求が携帯端末１０から統括装置３０に対して行われるときに、記憶領域読出部１６０により取得される登録対象の会員サービスでの会員ＩＤ（例えば、第１会員ＩＤ）と、統括サービスでの統括会員コードとを統括装置３０に送信して、会員サービス（例えば、第１会員サービス）の会員ＩＤ（例えば、第１会員ＩＤ）を、統括サービスにおいて携帯端末１０の利用者に対応付けることを指示する。
【００２９】
統括コード送信部１７０は、統括サービスへの会員サービスの登録要求が携帯端末１０から会員システム２０に対して行われるときに、登録対象の会員サービスを提供する会員システム２０に対し、記憶領域１１５に記憶された当該会員サービスでの会員ＩＤと、統括サービスでの統括会員コードとを送信する。また、統括コード送信部１７０は、統括サービスの利用時に、登録済みの会員サービスを提供する会員システム２０に統括会員コードを送信する。例えば、統括コード送信部１７０は、会員システム２０が営業する店舗等で、記憶領域１１５から会員ＩＤ、統括会員ＩＤおよび統括会員コードなどを読み出し、読み出した情報を、無線通信により会員システム２０のＩＣカードリーダ・ライタに送信する。統括コード送信部１７０は、記憶領域１１５と一体となってＩＣチップに実装されていてよい。
【００３０】
会員情報処理部１８０は、統括サービスの利用時に、携帯端末１０の利用者について、複数の会員サービスの会員情報（例えば、ポイント残高、提供サービス、および利用履歴等）および統括サービスの利用状況に関する情報を取得して、携帯端末１０の表示装置に表示する。例えば、会員情報処理部１８０は、会員サービスに関する会員情報の取得要求を統括装置３０に送信し、統括装置３０から会員サービスについての会員情報および／または統括サービスの利用状況の情報を受信する。一例として、会員情報処理部１８０は、統括サービスに登録済みの会員サービスの会員情報、および、統括サービスに未登録の会員サービスの一覧等の情報を統括装置３０から取得してよい。
【００３１】
［会員システム２０の説明］
複数の会員システム２０のそれぞれは、ネットワーク２を介して携帯端末１０および統括装置３０に接続されて、携帯端末１０および統括装置３０と連携してそれぞれの会員サービスを携帯端末１０の利用者に提供する。以下、複数の会員システム２０のうち未登録で新規登録対象となる１つの会員システム２０、または、登録済みで店舗等で利用対象となる１つの会員システム２０の構成を説明する。会員システム２０は、会員ＩＤ記憶部２１０、入力画面送信部２２０、統括会員ＩＤ取得部２３０、会員情報処理部２４２、会員ＩＤ取得部２５０、会員ＩＤ送信部２５５、統括コード送信部２６０、会員ＩＤ受信部２７０、および会員サービス提供部２９０を有する。
【００３２】
会員ＩＤ記憶部２１０は、会員システム２０が提供する会員サービスを利用する利用者の会員ＩＤを記憶する。会員ＩＤ記憶部２１０は、会員システム２０内の他の要素から独立したデータベースサーバにより実現されてよい。会員ＩＤ記憶部２１０は、会員ＩＤと共に、利用者が設定したパスワード、会員を識別する他の情報（例えば、会員認証用ＩＤおよび会員コード）、および、各会員について会員サービスに関連する会員情報（例えば、ポイント残高、提供サービス、および利用履歴等）を記憶してよい。
【００３３】
入力画面送信部２２０は、当該会員システム２０により提供される会員サービスを統括サービスに登録する登録要求が携帯端末１０から会員システム２０に対して行われるときに、当該会員サービスを利用する携帯端末１０に入力画面フォームを送信することにより、携帯端末１０の利用者が有する統括会員ＩＤを入力させる入力画面を携帯端末１０に表示させる。
【００３４】
統括会員ＩＤ取得部２３０は、当該会員システム２０により提供される会員サービスを統括サービスに登録する登録要求が携帯端末１０から会員システム２０に対して行われるときに、入力画面送信部２２０による上述の入力画面に対して入力された統括会員ＩＤを、携帯端末１０から取得する。統括会員ＩＤ取得部２３０は、取得した統括会員ＩＤを、会員ＩＤ送信部２５５に送信する。なお、統括会員ＩＤ取得部２３０が取得した統括会員コードは、会員ＩＤ送信部２５５に供給された後、消去されてもよいし、該当の統括会員が当該会員システム２０の会員サービス内で有する会員ＩＤに対応付けられて会員ＩＤ記憶部２１０に記憶されてもよい。
【００３５】
会員情報処理部２４２は、統括装置３０から問い合わせがあった会員の会員情報を会員ＩＤ記憶部２１０から読み出し、読み出した結果を統括装置３０に送信する。
【００３６】
会員ＩＤ取得部２５０は、当該会員システム２０により提供される会員サービスを統括サービスに登録する登録要求が携帯端末１０から会員システム２０に対して行われるときに、統括サービスを利用する携帯端末１０から、利用者の統括会員コードを取得する。例えば、会員ＩＤ取得部２５０は、当該会員システム２０が備える店舗端末２５２により、携帯端末１０の記憶領域１１５から、非接触通信を介して統括会員コードおよび会員ＩＤを読み取る。また、会員ＩＤ取得部２５０は、統括サービスの利用時に、統括サービスを利用する携帯端末１０から、利用者の統括会員コードを取得する。
【００３７】
一例として、会員ＩＤ取得部２５０は、会員サービスを提供する提供者の店舗に設置された店舗端末２５２を有してよい。そして、会員ＩＤ取得部２５０は、当該会員システム２０が提供する会員サービスのサービス提供者の店舗に来店した携帯端末１０の統括コード送信部１７０と、店舗端末２５２のＩＣカードリーダ・ライタとの間で無線通信して、統括会員コードおよび会員ＩＤ、あるいは、統括会員コードを読み取る。会員ＩＤ取得部２５０は、取得した一の統括会員コードを会員ＩＤ送信部２５５または統括コード送信部２６０に供給する。なお、会員ＩＤ取得部２５０が取得した統括会員コードは、会員ＩＤ送信部２５５または統括コード送信部２６０に供給された後、消去されてもよいし、該当の統括会員が当該会員システム２０の会員サービス内で有する会員ＩＤに対応付けられて会員ＩＤ記憶部２１０に記憶されてもよい。
【００３８】
会員ＩＤ送信部２５５は、当該会員システム２０により提供される会員サービスを統括サービスに登録する登録要求が携帯端末１０から会員システム２０に対して行われるときに、当該会員サービスの会員サービスＩＤと、当該会員サービスにおいて携帯端末１０の利用者に対応付けられた会員ＩＤと、統括サービスにおいて当該利用者に対応付けられた統括会員ＩＤまたは統括会員コードとを統括装置３０に送信し、統括会員ＩＤに対して、会員サービスＩＤで表される会員サービスでの会員ＩＤを対応付けることを指示する。会員ＩＤ送信部２５５は、会員ＩＤ、統括会員ＩＤおよび統括会員コードなどを会員ＩＤ取得部２５０および統括会員ＩＤ取得部２３０などから取得してよい。また、会員ＩＤ送信部２５５は、登録要求が携帯端末１０から会員システム２０または統括装置３０に対して行われるときに、統括装置３０から会員ＩＤの統括サービスへの登録完了の通知を受信し、確認応答を送信する。
【００３９】
統括コード送信部２６０は、統括サービスの利用時に、取得した一の統括会員コードおよび会員サービスを識別する会員サービスＩＤを統括装置３０へと送信する。
【００４０】
会員ＩＤ受信部２７０は、統括サービスの利用時に、一の統括会員コードを受け取った統括装置３０から、一の統括会員コードに対応付けられた、当該会員システム２０が提供する会員サービスの会員ＩＤを受信する。会員ＩＤ受信部２７０は、受信した会員ＩＤを会員サービス提供部２９０に供給する。
【００４１】
会員サービス提供部２９０は、統括サービスの利用時に、受信した会員サービスの会員ＩＤに基づいて、一の会員を特定し、当該一の会員にポイントの付与等の会員サービスを提供する。
【００４２】
会員システム２０の各々は、単一のコンピュータ（例えば、サーバコンピュータ）で構成してもよく、複数のコンピュータで構成されてもよい。また、会員システム２０の各々に含まれる一の要素（例えば、会員サービス提供部２９０）は、単一のコンピュータ又は複数のコンピュータにより実装されてよい。
【００４３】
［統括装置３０の説明］
統括装置３０は、インターネット等のネットワーク２を介して複数の携帯端末１０および複数の会員システム２０に接続され、複数の会員システムに係る複数の会員ＩＤを統括して管理することで複数の会員サービスを統括する統括サービスを提供する。また、統括装置３０は、統括サービスの会員に対してセキュリティを向上させた会員サービスを提供する提供装置としても機能する。この統括装置３０は、統括会員記憶部３００、統括コード取得部３０２、属性情報取得部３１０、属性情報提供部３１５、会員ＩＤ受信部３２０、登録処理部３３０、統括コード受信部３６０、会員ＩＤ取得部３７０、会員ＩＤ提供部３８０、認証要求受信部３９２、読出要求送信部３９４、読出応答受信部３９６、および認証処理部３９８を有する。
【００４４】
統括会員記憶部３００は、統括サービスを利用する統括会員に対応付けて、統括会員コードと、当該統括会員が利用する少なくとも１つの会員サービスの会員ＩＤとを記憶する。例えば、統括会員記憶部３００は、各統括会員について、統括会員ＩＤと、統括会員コードと、統括サービスの統括対象となる複数の会員サービスの会員ＩＤと、を対応付けて記憶してよい。また、統括会員記憶部３００は、各統括会員について、統括会員が携帯端末１０にダウンロードした統括サービスの統括アプリケーションに割り当てられたアプリケーションコードと、統括会員ごとのパスワード、および／またはチェックコードを更に記憶してもよい。また、統括会員記憶部３００は、統括会員の属性情報を記憶する属性情報記憶部３０１を備え、この属性情報記憶部３０１により、各統括会員に対応付けて、統括会員の属性情報を記憶してもよい。また、統括会員記憶部３００は、各統括会員について、会員サービス毎に会員ＩＤを記憶領域１１５から読み出すための領域コードを記憶してもよい。さらに、統括会員記憶部３００は、２つの携帯端末１０の間でデータの引っ越し処理を行う統括会員について、引っ越しコードを記憶してもよい。統括会員記憶部３００に記憶されるこれらの情報については、図５を用いて詳細を後述する。
【００４５】
統括コード取得部３０２は、統括サービスへの会員サービスの登録要求が携帯端末１０から統括装置３０に対して行われるときに、登録を要求する携帯端末１０から統括会員コードを取得する。例えば、統括コード取得部３０２は、取得した統括会員コードを用いて携帯端末１０の認証を行ってよい。また、この場合には、統括コード取得部３０２は、アプリケーションコードも携帯端末１０から取得して認証を行ってもよい。
【００４６】
属性情報取得部３１０は、統括サービスへの会員サービスの登録時に、統括会員ＩＤに対応付けられた、統括会員の属性情報を取得する。例えば、属性情報取得部３１０は、統括会員ＩＤに対応する統括会員の属性情報を属性情報記憶部３０１から取得してもよいし、統括会員の携帯端末１０から取得してもよい。属性情報取得部３１０は、取得した属性情報を属性情報提供部３１５に提供する。
【００４７】
属性情報提供部３１５は、統括サービスへの会員サービスの登録時に、属性情報取得部３１０から取得した属性情報を、登録対象の会員システム２０（例えば、第１会員システム）に送信する。
【００４８】
会員ＩＤ受信部３２０は、統括サービスへの会員サービスの登録時に、一の携帯端末１０から、登録対象の会員サービスでの会員ＩＤ（例えば、第１会員ＩＤ）および統括サービスでの統括会員コードを受信する。会員ＩＤ受信部３２０は、受信した会員ＩＤおよび統括会員コードを登録処理部３３０に送信する。
【００４９】
登録処理部３３０は、統括サービスへの会員サービスの登録時に、統括サービスを利用する統括会員のうち、会員ＩＤ受信部３２０が受信した統括会員コードに対応する統括会員の統括会員ＩＤに、登録対象の会員サービスでの会員ＩＤ（例えば、第１会員ＩＤ）を対応付ける。例えば、登録処理部３３０は、一の会員サービス（例えば、第１会員サービス）を提供する会員システム２０（例えば、第１会員システム）、または統括サービスを利用する携帯端末１０からの要求に応じて、当該一の会員サービスでの会員ＩＤを、該当の統括会員に対応する統括会員ＩＤに対応付ける。また、登録処理部３３０は、統括会員記憶部３００をアクセスして、対応付けた結果を統括会員記憶部３００に反映してよい。登録処理部３３０は、登録完了の通知を会員システム２０および携帯端末１０に送信する。
【００５０】
また、登録処理部３３０は、古い携帯端末１０で使用していた統括アプリケーションを新しい携帯端末１０で使用するべくデータの引っ越しが行われる場合の種々の処理を行う。
【００５１】
登録情報処理部３５０は、携帯端末１０に複数の会員サービスおよび統括サービスの利用状況に関する情報を供給する。例えば、登録情報処理部３５０は、携帯端末１０の会員情報処理部１８０から統括会員コードを取得し、当該統括会員コードに対応する統括会員ＩＤを特定し、統括会員記憶部３００から当該統括会員ＩＤに係る会員の各会員サービスの登録状況および各会員サービスの会員ＩＤを取得する。また、登録情報処理部３５０は、登録済の１以上の会員サービスについて、対応する１以上の会員システム２０の各々の会員情報処理部２４２に会員ＩＤを送信し、各会員サービスの利用状況を照会し、照会結果を会員情報処理部１８０に送信する。
【００５２】
統括コード受信部３６０は、統括サービスの利用時に、会員サービスを提供する一の会員システム２０が一の統括会員の一の携帯端末１０から一の統括会員コードを取得したことに応じて、一の会員システム２０から当該一の統括会員コードを受信する。例えば、統括コード受信部３６０は、一の会員システム２０内の店舗端末２５２が、一の統括会員の携帯端末１０に記録された一の統括会員コードを読み取ったことに応じて、統括コード送信部２６０が送信した一の統括会員コードを受信する。
【００５３】
また、統括コード受信部３６０は、統括会員コードを送信する一の会員システム２０から、当該会員システム２０を識別する会員サービスＩＤをさらに受信する。統括コード受信部３６０は、受信した統括会員コードおよび会員サービスＩＤを会員ＩＤ取得部３７０に供給する。なお、統括コード受信部３６０は、統括コード取得部３０２により実現されてもよい。
【００５４】
会員ＩＤ取得部３７０は、統括サービスの利用時に、一の統括会員コードに対応付けられた、会員サービスの会員ＩＤを統括会員記憶部３００から取得する。例えば、会員ＩＤ取得部３７０は、一の統括会員に対応付けられた少なくとも１つの会員サービスのうち、統括コード受信部３６０が統括会員コードと共に受信した会員サービスＩＤに対応する会員サービスの会員ＩＤを統括会員記憶部３００から取得する。会員ＩＤ取得部３７０は、取得した会員ＩＤを会員ＩＤ提供部３８０に供給する。
【００５５】
会員ＩＤ提供部３８０は、統括サービスの利用時に、取得された会員サービスの会員ＩＤを、一の会員システム２０に提供する。これにより、会員ＩＤ提供部３８０は、会員システム２０の会員サービス提供部２９０に、利用者に対して会員サービスを提供させる。
【００５６】
認証要求受信部３９２は、統括装置３０が携帯端末１０の認証を行うときに、統括サービスを利用する携帯端末１０から認証要求を受信する。例えば、認証要求受信部３９２は、携帯端末１０にインストールされた統括アプリケーション（会員アプリケーション）に割り当てられたアプリケーションコード、携帯端末１０に割り当てられたチェックコード、および、携帯端末１０の利用者が入力したパスワードの少なくとも１つを含む認証要求を受信する。認証要求受信部３９２は、受信した認証要求を認証処理部３９８に送信する。また、認証要求受信部３９２は、認証要求の受信通知を、読出要求送信部３９４に送信する。
【００５７】
読出要求送信部３９４は、認証要求受信部３９２が認証要求を受信したことに応じて、認証要求を送信した携帯端末１０の記憶領域１１５に記憶された統括会員コード（会員コード）についての読出要求を、携帯端末１０に対して送信する。
【００５８】
読出応答受信部３９６は、認証要求受信部３９２に認証要求を送信した携帯端末１０について統括装置３０が認証を行う場合に、上述の読出要求に応じて携帯端末１０から読出応答を受信する。読出応答は、携帯端末１０から読み出された統括会員コード（会員コード）を含む。読出応答受信部３９６は、受信した読出応答を認証処理部３９８に送信する。
【００５９】
認証処理部３９８は、携帯端末１０に対する認証を行う。例えば、認証処理部３９８は、認証要求受信部３９２に認証要求を送信した携帯端末１０について統括装置３０が認証を行う場合に、読出応答受信部３９６が受信した読出応答に含まれる統括会員コード（会員コード）が、携帯端末１０の利用者に割り当てられた統括会員コード（会員コード）と一致することを必要条件として、認証を成功させる。また、認証要求受信部３９２が受信した認証要求にアプリケーションコードが含まれている場合には、認証処理部３９８は、このアプリケーションコードが、当該統括装置３０が携帯端末１０に対応付けて記憶したアプリケーションコードと一致したことを必要条件として、認証を成功させる。また、認証要求受信部３９２が受信した認証要求にチェックコードが含まれている場合には、認証処理部３９８は、このチェックコードが、当該統括装置３０が携帯端末１０に対応付けて記憶したチェックコードと一致したことを必要条件として、認証を成功させる。また、認証要求受信部３９２が受信した認証要求にパスワードが含まれている場合には、認証処理部３９８は、このパスワードが、当該統括装置３０が携帯端末１０の利用者に対応付けて記憶したパスワードと一致したことを必要条件として、認証を成功させる。例えば、認証処理部３９８は、統括会員記憶部３００を参照して、統括会員コード（会員コード）、アプリケーションコード、チェックコード、およびパスワードの一致を判断する。
【００６０】
また、認証処理部３９８は、統括装置３０に引っ越し要求を送信した携帯端末１０について統括装置３０が認証を行う場合に、携帯端末１０から送信されるアプリケーションコードと、統括会員記憶部３００において当該携帯端末１０の利用者に対応付けられたアプリケーションコードとが一致したことを必要条件として、認証を成功させる。認証処理部３９８は、アプリケーションコードに加えて、携帯端末１０から送信されるチェックコードおよびパスワードと、統括会員記憶部３００に記憶されたチェックコードおよびパスワードとが一致したことを必要条件として認証を成功させてもよい。
【００６１】
なお、以上の認証要求受信部３９２、読出要求送信部３９４、読出応答受信部３９６および認証処理部３９８は、統括コード取得部３０２に含まれてもよい。
【００６２】
統括装置３０は、単一のコンピュータ（例えば、サーバコンピュータ）で構成してもよく、複数のコンピュータで構成されてもよい。また、統括装置３０に含まれる一の要素（例えば、登録処理部３３０）は、単一のコンピュータ又は複数のコンピュータにより実現されてよい。
【００６３】
なお、ネットワーク２は、１又は複数の独立したネットワークであってよい。例えば、携帯端末１０、会員システム２０、および統括装置３０は、互いにインターネットで接続されていてよい。なお、会員システム２０と統括装置３０とは、インターネットに代えて／加えて、専用回線で接続されてもよい。
【００６４】
このように本実施形態の統括システム１によると、複数の会員サービスの利用状況を一括して管理することができる統括サービスを、携帯端末１０の利用者に提供することができる。
【００６５】
また、本実施形態の統括システム１によると、利用者が携帯端末１０を操作することにより、統括装置３０が複数の会員サービスを統括する統括サービスに新しい会員サービスを追加登録することができる。
【００６６】
また、本実施形態の統括システム１によると、携帯端末１０が会員サービスの会員ＩＤと統括サービスの統括会員コードとを統括装置３０に提供することにより、携帯端末１０の利用者に対応する統括会員コードおよび会員ＩＤを統括装置３０が取得することができる。従って、本実施形態によると、携帯端末１０と会員システム２０との間で通信を行うことなく、当該会員システム２０の会員サービスを統括サービスに追加登録することができる。
【００６７】
また、本実施形態の統括システム１によると、会員システム２０が携帯端末１０から取得した、会員サービスの会員ＩＤおよび統括サービスの統括会員コードを統括装置３０に提供することにより、携帯端末１０の利用者に対応する統括会員コードおよび会員ＩＤを統括装置３０が取得することができる。従って、本実施形態によると、携帯端末１０と統括装置３０との間で通信を行うことなく、会員システム２０の会員サービスを統括サービスに追加登録することができる。
【００６８】
また、本実施形態の統括システム１によると、会員システム２０での会員ＩＤと、統括サービスにおける統括会員ＩＤとが統括装置３０により対応付けて登録されると、統括会員ＩＤに対応付けられた統括会員の属性情報を統括装置３０が取得して当該会員システム２０に提供するので、会員サービスに入会するたびに当該会員サービスに対して個人情報などの属性情報を入力する手間を省くことができる。
【００６９】
また、本実施形態の統括システム１によると、統括装置３０が携帯端末１０から認証要求を受信すると、記憶領域１１５から読み出されて携帯端末１０から統括装置３０に送信された統括会員コードと、統括装置３０が有する統括会員コードとが一致することを必要条件として認証を成功させるので、統括装置３０に対する不正なアクセスを防ぎ、セキュリティを高めることができる。
【００７０】
［会員サービスの会員情報表示］
ここで、図２および図３を例に、本実施形態の統括システム１に係る統括サービスにより、携帯端末１０に複数の会員サービスの会員情報を表示する処理を説明する。
【００７１】
図２は、本実施形態に係る統括システム１の会員情報を表示するための処理フローを示す。統括システム１は、Ｓ１００からＳ１９０の処理を実行することにより、携帯端末１０の利用者に統括サービスを提供する。
【００７２】
まず、Ｓ１００において、携帯端末１０の会員情報処理部１８０が、携帯端末１０の利用者である統括会員が入力した、会員サービスの会員情報の取得要求を取得する。例えば、会員情報処理部１８０は、携帯端末１０にダウンロードされた統括サービスを提供する統括アプリケーションが起動され、当該統括アプリケーションにおいて統括会員が会員サービスの会員情報の取得要求を入力したこと（例えば、アプリケーション画面で情報取得ボタンをタップした等）を検知する。会員情報処理部１８０は、統括会員から、統括サービスに登録済みの１以上の会員サービスのうち、一部の会員サービスまたは全ての会員サービスについて、会員情報の取得要求を入力してよい。
【００７３】
次に、Ｓ１１０において、会員情報処理部１８０は、ネットワーク２を介して会員情報の取得要求を統括装置３０に送信する。ここで、会員情報処理部１８０は、携帯端末１０の統括アプリケーションを識別するアプリケーションコード等を端末情報記憶領域１１２から読み出して、取得要求に前もって／取得要求と合わせて、統括装置３０に送信してよい。なお、会員情報処理部１８０は、複数の会員サービスのうち会員情報を取得しようとする会員サービスを識別する会員サービスＩＤを統括装置３０に送信してよい。会員サービスＩＤは、会員サービスを提供する企業を指定する企業ＩＤまたはブランドを指定するブランドＩＤ等を含むものであってよい。
【００７４】
次にＳ１２０において、統括装置３０の登録情報処理部３５０は、会員情報の取得要求があった統括会員の統括会員ＩＤを特定する。例えば、登録情報処理部３５０は、統括会員記憶部３００を参照して、Ｓ１２０で携帯端末１０が送信したアプリケーションコードに合致する統括会員ＩＤを特定する。
【００７５】
次にＳ１３０において、登録情報処理部３５０は、統括会員が会員情報を取得しようとする会員サービスに係る会員ＩＤを特定する。例えば、登録情報処理部３５０は、統括会員記憶部３００を参照して、統括サービスに登録済みの全ての会員サービス、または、会員サービスＩＤを受信した会員サービスに対して、Ｓ１２０で特定した統括会員ＩＤに対応する会員ＩＤを特定する。
【００７６】
次にＳ１４０において、登録情報処理部３５０は、ネットワーク２を介して、特定した会員ＩＤを対応する会員サービスを提供する会員システム２０に送信する。
【００７７】
次にＳ１５０において、会員ＩＤを統括装置３０から受信した会員システム２０の会員情報処理部２４２は、会員ＩＤ記憶部２１０を照会して、当該会員ＩＤに対応する会員の会員情報（例えば、ポイント残高、利用履歴および／または提供サービス等）を取得する。
【００７８】
次にＳ１６０において、会員情報処理部２４２は、ネットワーク２を介して取得した会員情報を統括装置３０に送信する。
【００７９】
次にＳ１７０において、統括装置３０の登録情報処理部３５０は、会員情報を会員情報処理部２４２から取得する。
【００８０】
次にＳ１８０において、統括装置３０の登録情報処理部３５０は、取得した会員情報をネットワーク２を介して、携帯端末１０に送信する。
【００８１】
次にＳ１９０において、携帯端末１０の会員情報処理部１８０は、会員情報を携帯端末１０の表示画面に表示する。例えば、会員情報処理部１８０は、携帯端末１０の統括アプリケーション上に各会員サービスの利用履歴、ポイント残高および／または提供サービスを表示する。
【００８２】
図３は、携帯端末１０の会員情報表示画面の一例を示す。携帯端末１０は、統括サービスを提供する統括アプリケーションにより、複数の会員サービスに係る会員情報を表示する画面を表示装置に表示してよい。会員サービスは、会員である利用者の買い物等の際に提供されるサービスであってよく、通常店頭でカードを提示することにより提供されるサービスであってよい。一例として、会員サービスは、スタンプカードサービス、メンバーズカードサービス、ポイントカードサービス、電子マネー、およびクレジットカード等のサービスであってよい。
【００８３】
図３の例では、複数の会員サービスとして、「ＡＡスポーツ」、「ＢＢ菓子店」、「ＣＣスーパー」、「ＤＤ電子マネー」…「ＺＺクレジットカード」が、統括サービスに登録されている例が示されている。これは、携帯端末１０の利用者が、「ＡＡスポーツ」等の会員サービスを統括サービスに登録したことを示す。
【００８４】
例えば、図３は、携帯端末１０の利用者が「ＡＡスポーツ」で貯蓄・利用できるポイントを５ポイント有し、「ＢＢ菓子店」のスタンプ（例えば、来店ごとのスタンプまたは一定購入金額ごとのスタンプ等）を１０個有し、「ＣＣスーパー」で貯蓄・利用できるポイント２００ポイント有し、「ＤＤ電子マネー」のチャージ残高を３００円有し、「ＺＺクレジットカード」が統括サービスに登録されていることを示す。
【００８５】
これにより、例えば、図３に示す携帯端末１０の利用者は店頭で、「ＡＡスポーツ」、「ＢＢ菓子店」、「ＣＣスーパー」のメンバーズカードおよびスタンプカードを提示しなくとも、これらのカードのサービスを享受することができ、「ＤＤ電子マネー」および「ＺＺクレジットカード」の実物のカードを提示しなくとも、これらのカードによる商品購入の決済等をすることができる。また、後述するように、携帯端末１０は、未登録の会員サービスについて統括サービスに登録し、携帯端末１０に会員情報を表示させるようにすることができる。
【００８６】
図４は、本実施形態の携帯端末１０の利用履歴一覧画面の一例を示す。携帯端末１０の会員情報処理部１８０は、会員サービスの利用履歴を含む画面を携帯端末１０に表示してよい。例えば、図３の画面において、携帯端末１０の利用者が「ＡＡスポーツ」を選択したこと（例えば画面上の「ＡＡスポーツ」をタップ）を検知したことに応じて、会員情報処理部１８０は、携帯端末１０の表示装置に図４に係る画面を表示してよい。会員情報処理部１８０は、会員サービスの利用履歴に加え、会員サービスに関連した情報（例えば、商品の購入履歴およびキャンペーンの応募履歴等）を表示してよい。
【００８７】
このように、本実施形態の統括システム１によると、統括装置３０が統括サービスを提供して各会員サービスを統括する。これにより、携帯端末１０は、複数の異なる会員システム２０が提供する複数の会員サービスを、統括アプリケーションで一括して確認および管理することができる。
【００８８】
図５は、統括会員記憶部３００が記憶する統括会員情報の一例を示す。図５に示すように、統括会員記憶部３００は、統括サービスを利用する統括会員ごとに、統括会員ＩＤ、統括会員コード、アプリケーションコード、チェックコード、パスワード、引っ越しコード、属性情報、および、複数の会員サービスの会員ＩＤの情報を格納する。また、統括会員記憶部３００は、会員サービス毎に、携帯端末１０が会員ＩＤを記憶領域１１５から読み出すために必要な領域コードを格納する。
【００８９】
例えば、統括会員記憶部３００は、統括会員ＩＤ（１０ｘｘｘ）で特定される統括会員について、統括会員コード（Ｔ１０ｘｘ）、アプリケーションコード（Ａ１０ｘｘ）、チェックコード（Ｃ１０ｘｘ）、パスワード（ｘｘｘｘｘｘ）、当該統括会員の属性情報、会員サービス「ＡＡスポーツ」の会員ＩＤ（Ａ０１２ｘｘ）、…および会員サービス「ＺＺクレジットカード」の会員ＩＤ（Ｚ０１ｘｘ）を有する。また、統括会員記憶部３００は、会員サービス「ＡＡスポーツ」、…および会員サービス「ＺＺクレジットカード」について、会員ＩＤを読み出すための領域コード（ａ０１２ｘｘ）、…および領域コード（ｚ０１ｘｘ）を有する。なお、当該統括会員はデータの引っ越し処理を行っていないため、この統括会員について統括会員記憶部３００は、引っ越しコードを有しない。
【００９０】
また、例えば、統括会員記憶部３００は、統括会員ＩＤ（４１ｘｘｘ）で特定される統括会員について、統括会員コード（Ｔ１１ｘｘ）、アプリケーションコード（Ａ１１ｘｘ）、チェックコード（Ｃ１１ｘｘ）、パスワード（ｘｘｘｘｘｘ）、当該統括会員の属性情報、会員サービス「ＡＡスポーツ」の会員ＩＤ（Ａ０１４ｘｘ）を有する。また、統括会員記憶部３００は、会員サービス「ＡＡスポーツ」について、会員ＩＤ（Ａ０１４ｘｘ）を読み出すための領域コード（ａ０１４ｘｘ）を有する。なお、当該統括会員は会員サービス「ＺＺクレジットカード」を登録していないので「ＺＺクレジットカード」の会員ＩＤと、当該会員ＩＤを読み出すための領域コードは有しない。また、当該統括会員はデータの引っ越し処理を行っていないため、この統括会員について統括会員記憶部３００は、引っ越しコードを有しない。
【００９１】
また、例えば、統括会員記憶部３００は、統括会員ＩＤ（５１ｘｘｘ）で特定される統括会員について、統括会員コード（Ｔ４９ｘｘ）、アプリケーションコード（Ａ４９ｘｘ）、チェックコード（Ｃ４９ｘｘ）、引っ越しコード（Ｈ４９ｘｘ）、パスワード（ｘｘｘｘｘｘ）、当該統括会員の属性情報、会員サービス「ＡＡスポーツ」の会員ＩＤ（Ａ０１４ｘｘ）を有する。また、統括会員記憶部３００は、会員サービス「ＡＡスポーツ」について、会員ＩＤを読み出すための領域コード（ａ０１９ｘｘ）を有する。なお、当該統括会員は会員サービス「ＺＺクレジットカード」を登録していないので「ＺＺクレジットカード」の会員ＩＤと、当該会員ＩＤを読み出すための領域コードは有しない。
【００９２】
ここで、統括会員ＩＤは、統括サービスに入会した会員ごとに統括装置３０が付与するＩＤである。各会員サービスの会員ＩＤは、当該会員サービスに入会した会員ごとに会員システム２０が付与するＩＤである。会員サービスが統括サービスに登録されていない場合には、統括会員記憶部３００には、会員ＩＤは記憶されていなくてもよい。
【００９３】
統括会員コードは、統括会員ＩＤおよびチェックコード等とは異なるデータであって、統括会員ＩＤに演算処理をすることにより不可逆的に生成可能なデータであってよく、統括会員ＩＤの認証に利用できるものであってよい。統括会員コードは統括会員ＩＤから生成可能であるので統括会員記憶部３００は統括会員コードを保持せず、統括会員コードを利用する際に統括装置３０が統括会員ＩＤから統括会員コードを算出してもよい。
【００９４】
アプリケーションコードは、携帯端末１０に対して統括アプリケーションがダウンロードされるごとに、統括装置３０によってダウンロード先の携帯端末１０に割り振られるコードである。アプリケーションコードは、統括会員ＩＤの認証に利用できるものであってよい。
【００９５】
チェックコードは、携帯端末１０の利用者が統括サービスに会員登録したことに応じて統括装置３０から当該利用者に割り当てられるコードである。チェックコードは、統括会員ＩＤに演算処理をする等により不可逆的に生成可能なデータであってよく、統括会員ＩＤの認証に利用できるものであってよい。
【００９６】
引っ越しコードは、古い携帯端末１０で使用していた統括アプリケーションを新しい携帯端末１０で使用するべくデータの引っ越し処理を行う統括会員に対して、統括装置３０により一時的に割り当てられるコードである。パスワードは、認証に利用すべく、統括アプリケーションに対して利用者が設定するものである。
【００９７】
属性情報は、統括会員の属性を示す情報である。属性情報は、マーケティングおよびプロモーション等に利用できる属性についての情報であってよい。例えば、「属性」は、統括会員の年齢、性別、住所、電話番号、職業、趣味嗜好、物品の購入履歴、および／または、行動の特徴を示す性質または特徴であってよい。このような属性情報は、統括装置３０に記憶される代わりに、携帯端末１０におけるセキュアな記憶領域１１５に記憶されてもよい。
【００９８】
なお、統括会員記憶部３００が保持する以上のような情報の一部は、統括会員記憶部３００により保持されなくてよく、統括装置３０の他のデータベースサーバ等により管理されてもよい。
【００９９】
図６は、会員ＩＤ記憶部２１０が記憶する会員情報の一例を示す。図６は、一例として、会員サービス「ＡＡスポーツ」を提供する会員システム２０の会員ＩＤ記憶部２１０が記憶する会員情報を示す。図示するように、会員ＩＤ記憶部２１０は、「ＡＡスポーツ」の会員ごとに、会員ＩＤ、会員認証用ＩＤ、パスワード、保有ポイント、提供サービス、および、利用履歴の情報を格納する。
【０１００】
例えば、会員ＩＤ記憶部２１０は、会員ＩＤ（Ａ０１２ｘｘ）で特定される会員について、パスワード（ｘｘｘｘｘｘ）、保有ポイント（５０ポイント）、提供サービス（なし）、および利用履歴の情報を有し、会員ＩＤ（Ａ０１４ｘｘ）で特定される会員について、保有ポイント（１０００ポイント）、提供サービス（キャンペーン１）、および利用履歴の情報を有する。会員認証用ＩＤは利用者が自ら指定したＩＤ（例えば、利用者の氏名またはメールアドレス等）であってよい。ここで、パスワードは、認証に利用すべく、会員システム２０に対して利用者が設定するものである。
【０１０１】
また、会員ＩＤ記憶部２１０は、会員ＩＤおよび会員認証用ＩＤとは別に、会員システム２０内で各会員を識別し、会員システム２０が各会員に割り当てた会員コード（図示せず）を別途保持してもよい。会員システム２０は、統括装置３０から提供された会員ＩＤから会員コードおよび／または会員認証用ＩＤを特定し、各会員にサービスを提供することができる。これにより、会員システム２０は、統括装置３０に機密性の高い場合がある会員認証用ＩＤおよび会員コードを提供せずに、統括サービスを享受することができる。なお、会員システム２０は、会員コードおよび／または会員認証用ＩＤを用いず、会員ＩＤにより各会員を管理することもできる。
【０１０２】
［統括装置３０に対して登録要求する場合の会員サービスの登録］
ここで、図７から図９を例に、複数の会員サービスを統括する統括サービスを携帯端末１０で利用するべく、携帯端末１０が統括装置３０に対する登録要求により、未登録の会員サービスを統括サービスに登録する処理を説明する。
【０１０３】
図７は、本実施形態に係る携帯端末１０が会員サービスを登録するための処理フローを示す。統括システム１は、Ｓ４００からＳ６００の処理を実行することにより、携帯端末１０に会員サービスを統括サービスに登録させる。
【０１０４】
まず、Ｓ４００において、登録要求処理部１３０は、携帯端末１０の利用者から、当該利用者が加入する会員サービスの統括サービスへの登録要求を受け取る。例えば、登録要求処理部１３０は、複数の会員サービスのうち利用者が選択した未登録の会員サービスを識別する会員サービスＩＤを受け取る。
【０１０５】
次にＳ４１０において、認証処理部１２０は、登録要求した利用者に統括装置３０で認証を行うための、統括アプリケーションのパスワードを入力させる。また、更に、認証処理部１２０は、携帯端末１０で認証を行うための別のパスワードを利用者に入力させ、当該別のパスワードが正しいか否かのローカル認証を行ってもよい。例えば、認証処理部１２０は、利用者が入力した別のパスワードが端末情報記憶領域１１２に記憶された統括アプリケーションのパスワードと一致するか判断し、一致した場合に次の処理を進め、一致しない場合に再度パスワードを入力させるか、または処理を終了してよい。
【０１０６】
次にＳ４２０において、登録要求処理部１３０は、指定された未登録の会員サービスを統括サービスに登録することを要求する登録要求およびＳ４１０で入力された統括装置３０での認証用のパスワードを統括装置３０に送信する。登録要求処理部１３０は、アプリケーションコードおよび／またはチェックコードを端末情報記憶領域１１２から読み出し、会員サービスＩＤ、アプリケーションコードおよびチェックコードとともに統括装置３０に送信してよい。
【０１０７】
次にＳ４３０において、統括装置３０の統括コード取得部３０２は、携帯端末１０の認証を実行する。例えば、統括コード取得部３０２は、統括装置３０での認証用のパスワードを携帯端末１０から取得し、当該パスワードが、携帯端末１０の利用者が統括アプリケーションに対して予め設定したパスワードと一致するか判断することにより携帯端末１０の認証を実行してよい。これに加えて／代えて、例えば、統括コード取得部３０２は、アプリケーションコードを携帯端末１０の登録要求処理部１３０から受け取り、アプリケーションコードにより携帯端末１０の認証を行う。一例として、統括装置３０は、統括アプリケーションのダウンロード時に携帯端末１０に発行したアプリケーションコードが、統括装置３０の統括会員記憶部３００に記憶したアプリケーションコードと一致するかを判断することにより、携帯端末１０の認証を行ってよい。統括装置３０は、アプリケーションコード等に加え、チェックコード等のその他のコードにより携帯端末１０を認証してもよい。ここで、統括コード取得部３０２は、チェックコードを統括会員記憶部３００から読み出してよく、またはアプリケーションコードを演算処理することによりチェックコードを生成してもよい。統括コード取得部３０２は、認証が成功した場合は次の処理に進み、一致しない場合にはパスワードの再入力を携帯端末１０に要求するか、または、処理を終了してよい。
【０１０８】
ここで、統括コード取得部３０２は、統括会員記憶部３００を照会して、アプリケーションコード等から携帯端末１０の利用者である統括会員の統括会員ＩＤを特定する。統括コード取得部３０２は、認証が成功した場合は処理を次に進め、認証が失敗した場合は認証失敗のメッセージを携帯端末１０に送信して処理を終了してよい。
【０１０９】
次にＳ４４０において、統括装置３０の統括コード取得部３０２は、認証ができた携帯端末１０に統括会員コードの送信を要求するメッセージを送信する。例えば、統括コード取得部３０２は、携帯端末１０の記憶領域１１５を構成するＩＣチップを読み出すためのコマンドデータＵＲＬおよびトランザクションＩＤを、統括システム１外にあってよい当該ＩＣチップの記憶領域を管理する統括システム１外の管理サーバーから取得し、当該トランザクションＩＤ及びコマンドデータＵＲＬを含むメッセージを携帯端末１０に送信してよい。
【０１１０】
次にＳ４４５において、登録要求処理部１３０は、統括装置３０からメッセージを受信したことに応じて、記憶領域１１５から統括会員コードを読み出す。例えば、登録要求処理部１３０は、ウェブプラグイン等を介して、統括装置３０から受け取ったコマンドデータＵＲＬで示される、統括システム１外の管理サーバーにアクセスし、統括装置３０から受け取ったトランザクションＩＤを送信する。管理サーバーはトランザクションＩＤがＳ４４０で統括装置３０に供給したトランザクションＩＤと一致するか検証し、検証結果を含む処理終了データを携帯端末１０の登録要求処理部１３０に供給する。登録要求処理部１３０は、処理終了データに基づき、暗号認証等を利用して統括会員コードを記憶領域１１５から読み出す。
【０１１１】
例えば、トランザクションＩＤが一致したことを示す処理終了データを用いることにより、登録要求処理部１３０は、ウェブプラグインを介して、記憶領域１１５を構成するＩＣチップにアクセスして統括会員コードを読み出すことができる。一方で、トランザクションＩＤが一致しないことを処理終了データが示す場合、登録要求処理部１３０は、統括会員コードを読み出すことができない。
【０１１２】
次にＳ４５０において、登録要求処理部１３０は、読み出した統括会員コードを統括装置３０に送信する。
【０１１３】
次にＳ４６０において、統括装置３０の統括コード取得部３０２は、携帯端末１０から統括会員の統括会員コードを受け取り、受信した統括会員コードがＳ４３０で照合した統括会員ＩＤから導出される統括会員コードと一致するか否かの認証を行う。統括コード取得部３０２は、認証が成功した場合は登録処理部３３０に処理を進めさせ、認証が失敗した場合は認証失敗のメッセージを携帯端末１０に送信して処理を終了してよい。
【０１１４】
次に、Ｓ４６５において、統括装置３０の登録処理部３３０は、登録対象の会員サービスの会員ＩＤを読み出すための領域コードを、統括会員記憶部３００から読み出す。次に、Ｓ４７０において、登録処理部３３０は、読み出した領域コードを携帯端末１０に送信する。例えば、登録処理部３３０は、上述のＳ４４０と同様にして、携帯端末１０の記憶領域１１５を構成するＩＣチップを読み出すためのコマンドデータＵＲＬおよびトランザクションＩＤを、統括システム１外の管理サーバーから取得し、当該コマンドデータＵＲＬおよびトランザクションＩＤも携帯端末１０に送信してよい。携帯端末１０に送信された領域コードは、領域コード取得部１２５により受信される。なお、領域コードは統括装置３０に記憶される代わりに、統括システム１外の管理サーバーに記憶されてもよい。この場合には登録処理部３３０は、コマンドデータＵＲＬおよびトランザクションＩＤと合わせて、領域コードを管理サーバーから取得して、携帯端末１０に送信してよい。
【０１１５】
次に、Ｓ４８０において、携帯端末１０の記憶領域読出部１６０は、領域コード取得部１２５から提供される領域コードを用いて、登録対象の会員サービス（例えば、第１会員サービス）の会員ＩＤ（例えば、第１会員ＩＤ）を記憶領域１１５から読み出す。例えば、記憶領域読出部１６０は、上述のＳ４４５と同様にしてＩＣチップにアクセスし、会員ＩＤを読み出してよい。
【０１１６】
なお、統括アプリケーションに領域コードが予め記憶されている場合には、統括システム１が上述のＳ４６５〜Ｓ４８０の処理を行う代わりに、Ｓ４６０での認証の成功後に記憶領域読出部１６０が統括アプリケーションの領域コードを用いて会員ＩＤを記憶領域１１５から読み出してもよい。
【０１１７】
また、統括装置３０が上述のＳ４６５〜Ｓ４７０の処理を行う代わりに、統括装置３０からの指示に基づいて会員システム２０が行ってもよい。この場合には、会員システム２０の会員ＩＤ送信部１６５は、コマンドデータＵＲＬおよびトランザクションＩＤと合わせて、領域コードを管理サーバーから取得して、携帯端末１０に送信してよい。
【０１１８】
次に、Ｓ４８５において、会員ＩＤ送信部１６５は、Ｓ４４５で読み出した統括会員コードと、Ｓ４８０で読み出した会員ＩＤ（例えば、第１会員ＩＤ）とを統括装置３０に送信する。これらの送信内容は統括装置３０の会員ＩＤ受信部３２０で受信されることにより、統括サービスにおいて当該会員ＩＤを当該利用者に対応付けることが統括装置３０に対して指示される。
【０１１９】
次にＳ５６０において、登録処理部３３０は、統括会員記憶部３００をアクセスして、受信した統括会員コードに対応する統括会員（つまり携帯端末１０の利用者）の統括会員ＩＤに対し、Ｓ４８５で会員ＩＤ受信部３２０から受け取った会員システム２０の会員ＩＤ（例えば、第１会員ＩＤ）を対応付ける。これにより、携帯端末１０からの要求に応じて、統括会員ＩＤおよび統括会員コードと、当該統括会員が利用する会員サービスの会員ＩＤとが統括会員に対応付けて記憶される。その結果、登録要求のあった会員サービスが統括サービスに登録される。
【０１２０】
次に、Ｓ５６５において、属性情報取得部３１０が統括会員の属性情報を取得した後、属性情報提供部３１５が統括サービスに登録した会員システム２０に対して統括会員の属性情報を送信し、会員ＩＤ記憶部２１０に記憶させる。例えば、属性情報取得部３１０は、属性情報を属性情報記憶部３０１から読み出して取得してもよいし、携帯端末１０の記憶領域１１５から新たに送信させて取得してもよい。
【０１２１】
次にＳ５７０において、登録処理部３３０は、統括サービスに登録した会員システム２０に対して登録通知を送信する。この登録通知には、Ｓ４８５で会員ＩＤ受信部３２０から受け取った会員システム２０の会員ＩＤが含まれてよい。
【０１２２】
次にＳ５８０において、会員システム２０の会員ＩＤ送信部２５５は、統括装置３０から会員ＩＤの統括サービスへの登録完了の通知を受信し、統括装置３０に確認応答を送信する。
【０１２３】
次にＳ５９０において、統括装置３０の登録処理部３３０は、会員システム２０からの確認応答を受信したことに応じて、携帯端末１０に登録完了の通知を送信する。
【０１２４】
次にＳ６００において、携帯端末１０の登録要求処理部１３０は、登録完了の通知を統括装置３０から受け取る。登録要求処理部１３０は、当該通知を受け取ったことに応じて、携帯端末１０の表示装置により登録が完了したことを表示してよい。また、登録要求処理部１３０は、端末情報記憶領域１１２に、登録を要求した会員サービスの登録が完了した情報を書き込んでよい。
【０１２５】
図８は、携帯端末１０の未登録サービス一覧表示画面の一例を示す。例えば、図３に示す表示画面において、利用者が「未登録カード一覧」を選択したこと（一例として画面上の「未登録カード一覧」をタップ）に応じて、携帯端末１０の会員情報処理部１８０は、図８に示す未登録カード一覧表示画面を表示してよい。会員情報処理部１８０は、登録カード一覧表示画面として、複数の会員サービスのうち統括サービスに統括されていない未登録の会員サービスの一覧を表示する。
【０１２６】
図８では、「ＸＸショップ」、「ＹＹショップ」、「ＺＺショップ」が未登録の会員サービスとして表示されている。会員情報処理部１８０は、未登録の会員サービスの詳細（例えば、「ＸＸショップ」について「購入１００円につき１ポイント貯まること」）等を更に表示させてよい。
【０１２７】
図９は、携帯端末１０の会員サービス追加画面の一例を示す。例えば、図８に示す未登録サービス一覧表示画面において、利用者が「ＹＹショップ」を選択したこと（一例として画面上の「ＹＹショップ」の領域をタップ）に応じて、携帯端末１０の会員情報処理部１８０は、図９に示す会員サービス追加画面を表示してよい。
【０１２８】
会員情報処理部１８０は、会員サービス追加画面において、追加登録の候補となる会員サービスの情報を表示してよい。例えば、図９においては、会員情報処理部１８０は、「ＹＹショップ」の提供する会員サービス「来店１回につき１ポイント貯まること」、および、登録した際の登録特典１および登録特典２の情報を表示してよい。
【０１２９】
会員情報処理部１８０は、会員サービス追加画面において、会員サービスを統括サービスに登録するためのボタン（例えば、図９の「カードを追加する」ボタン）および会員サービスの詳細情報の表示するためのボタン（例えば、図９の「詳細を見る」ボタン）を表示してよい。例えば、図９の「カードを追加する」ボタンが押されたことに応じて、携帯端末１０は、図７に示すＳ４００の処理を開始してよい。
【０１３０】
［統括装置３０と携帯端末１０との間の認証］
ここで、図１０を例に、統括装置３０による統括サービスを提供すべく統括装置３０と携帯端末１０との間で行われる認証処理を説明する。
【０１３１】
図１０は、本実施形態に係る統括装置３０が携帯端末１０を認証するための処理フローを示す。この認証フローは、例えば、統括装置３０と携帯端末１０とが通信を行うときに実行されてよい。一例として、この認証フローは、統括装置３０に対する登録要求によって会員サービスを統括サービスに登録するための上述の処理において、Ｓ４１０およびＳ４３０の代わりに行われてよい。
【０１３２】
まず、Ｓ７００において、携帯端末１０の認証処理部１２０は、Ｓ４１０と同様の処理により、携帯端末１０の利用者に統括アプリケーションのパスワードを入力させ、パスワードが正しいか否かのローカル認証を行う。例えば、認証処理部１２０は、利用者が入力したパスワードが端末情報記憶領域１１２に記憶された統括アプリケーションのパスワードと一致するか判断し、一致した場合に次の処理を進め、一致しない場合に再度パスワードを入力させるか、または処理を終了してよい。また、更に、認証処理部１２０は、統括装置３０で認証を行うための、統括アプリケーションの別のパスワードを入力させてもよい。
【０１３３】
次にＳ７０５において、認証処理部１２０は、携帯端末１０を認証するように要求する認証要求を統括装置３０に送信する。これにより、統括装置３０の認証要求受信部３９２は、携帯端末１０から認証要求を受信する。
【０１３４】
この認証要求には、携帯端末１０にインストールされた統括アプリケーションに割り当てられたアプリケーションコードが含まれてもよい。また、認証要求には、携帯端末１０の利用者が統括サービスに会員登録したことに応じて当該利用者に割り当てられたチェックコードが含まれてもよい。また、認証要求には、携帯端末１０の利用者が入力したパスワードが含まれてもよい。
【０１３５】
次にＳ７０８において、統括装置３０の認証処理部３９８は、認証要求受信部３９２が認証要求を受信したことに応じて、携帯端末１０の認証を行う。例えば、認証要求にアプリケーションコードが含まれていた場合には、認証処理部３９８は、当該アプリケーションコードと、携帯端末１０に対応付けられて統括会員記憶部３００に記憶されたアプリケーションコードとが一致したことを必要条件として、認証を成功させてよい。また、認証要求にチェックコードが含まれていた場合には、認証処理部３９８は、当該チェックコードと、携帯端末１０に対応付けられて統括会員記憶部３００に記憶されたチェックコードとが一致したことを必要条件として、認証を成功させてよい。また、認証要求にパスワードが含まれていた場合には、認証処理部３９８は、当該パスワードと、携帯端末１０に対応付けられて統括会員記憶部３００に記憶されたパスワードとが一致したことを必要条件として、認証を成功させてよい。
【０１３６】
ここで、認証処理部３９８は、統括会員記憶部３００を照会して、アプリケーションコード等から携帯端末１０の利用者である統括会員の統括会員ＩＤを特定する。認証処理部３９８は、認証が成功した場合は処理を次に進め、認証が失敗した場合は認証失敗のメッセージを携帯端末１０に送信して処理を終了してよい。
【０１３７】
次にＳ７１０において、統括装置３０の読出要求送信部３９４は、携帯端末１０の記憶領域１１５に記憶された統括会員コードの読出を要求する読出要求を携帯端末１０に対して送信する。例えば、読出要求送信部３９４は、上述のＳ４４０と同様にして、携帯端末１０の記憶領域１１５を構成するＩＣチップを読み出すためのコマンドデータＵＲＬおよびトランザクションＩＤを、統括システム１外の管理サーバーから取得し、当該コマンドデータＵＲＬおよびトランザクションＩＤを含む読出要求を携帯端末１０に送信してよい。
【０１３８】
次にＳ７１５において、認証処理部１２０は、統括装置３０から読出要求を受信したことに応じて、記憶領域１１５から統括会員コードを読み出す。例えば、認証処理部１２０は、上述のＳ４４５と同様にしてＩＣチップにアクセスし、統括会員コードを読み出してよい。
【０１３９】
次にＳ７２０において、認証処理部１２０は、読出要求に応じて携帯端末１０から読み出された統括会員コードを含む読出応答を、統括装置３０に送信する。これにより、統括装置３０の読出応答受信部３９６は、携帯端末１０から読出応答を受信する。
【０１４０】
次にＳ７２５において、認証処理部３９８は、読出応答に含まれる統括会員コードが、携帯端末１０の利用者に割り当てられて統括会員記憶部３００に記憶された統括会員コードと一致することを必要条件として、認証を成功させる。なお、認証が失敗した場合には、認証処理部３９８は、認証失敗のメッセージを携帯端末１０に送信して処理を終了してよい。
【０１４１】
［会員システム２０に対して登録要求する場合の会員サービスの登録（１）］
ここで、図１１を例に、複数の会員サービスを統括する統括サービスを携帯端末１０で利用するべく、携帯端末１０が会員システム２０に対する登録要求により、未登録の会員サービスを統括サービスに登録する処理を説明する。
【０１４２】
図１１は、本実施形態に係る携帯端末１０が会員サービスを登録するための処理フローを示す。統括システム１は、Ｓ７４５からＳ７９０の処理を実行することにより、複数の会員サービスを統括サービスに登録させ、会員サービスを提供する会員システム２０と、統括サービスを提供する統括装置３０と連携させる。なお、この登録処理では、会員システム２０が営業する店舗の店舗端末２５２に対し、携帯端末１０の利用者である統括会員が携帯端末１０を近接させて無線通信を開始させることにより登録要求が行われ、処理が開始される。
【０１４３】
まず、Ｓ７４５において、会員システム２０の会員ＩＤ取得部２５０は、統括サービスにおける統括会員コードと、当該会員システム２０が提供する会員サービスにおける会員ＩＤとについての送信要求を携帯端末１０に送信する。例えば、会員ＩＤ取得部２５０に含まれる店舗端末２５２に接続されたＩＣカードリーダ・ライタは、店舗を訪れた利用者の携帯端末１０の記憶領域１１５として機能するＩＣチップに対して、会員ＩＤおよび統括会員コードの要求を送信する。
【０１４４】
次に、Ｓ７５０において、携帯端末１０の統括コード送信部１７０は、要求を送信した会員システム２０の会員サービスで携帯端末１０の利用者が有する会員ＩＤと、統括サービスで当該利用者の統括会員ＩＤに対応付けられた統括会員コードとを記憶領域１１５から読み出す。そして、統括コード送信部１７０は、読み出した統括会員コードを会員システム２０の店舗端末２５２のＩＣカードリーダ・ライタに送信する。これにより、店舗端末２５２のＩＣカードリーダ・ライタを介して会員システム２０の会員ＩＤ取得部２５０は、当該会員システム２０が提供する会員サービスでの会員ＩＤおよび統括サービスでの統括会員コードを携帯端末１０から取得する。
【０１４５】
なお、統括コード送信部１７０は会員ＩＤを、統括会員ＩＤおよび統括会員コードとは別個に送信してもよい。例えば、統括コード送信部１７０は、統括会員ＩＤおよび統括会員コードをＩＣカードリーダ・ライタによる非接触通信により会員システム２０に送信し、会員ＩＤをブルートゥース（登録商標）などの無線通信により会員システム２０に送信してもよい。また、統括コード送信部１７０は、会員ＩＤを送信せずに、統括会員ＩＤおよび統括会員コードのみを送信してもよい。この場合に会員ＩＤは、例えば、会員システム２０が発行する会員カードに磁気データとして含まれ、当該会員カードから磁気センサによって会員システム２０に読み取られてもよい。
【０１４６】
次に、Ｓ７６０において、会員システム２０の会員ＩＤ送信部２５５は、当該会員システム２０が提供する会員サービスの会員サービスＩＤと、店舗端末２５２のＩＣカードリーダ・ライタを介して会員ＩＤ取得部２５０が取得した統括会員コードおよび会員ＩＤとを統括装置３０へと送信する。これらの送信内容は統括装置３０の会員ＩＤ受信部３２０で受信されることにより、統括サービスにおいて当該統括会員コード、さらには統括会員ＩＤに対し、会員サービスＩＤで表される会員サービスでの当該会員ＩＤを対応付けることが統括装置３０に対して指示される。
【０１４７】
なお、統括装置３０に統括会員コードが送信された後には、当該統括会員コードは会員システム２０内で消去されてもよいし、携帯端末１０の利用者が当該会員システム２０の会員サービス内で有する会員ＩＤに対応付けられて会員ＩＤ記憶部２１０に記憶されてもよい。
【０１４８】
また、統括システム１が上述のＳ７５０およびＳ７６０の処理を行う代わりに、携帯端末１０がネットワーク２を介して直接、統括会員コード及び会員ＩＤと、会員システム２０に対応する会員サービスＩＤとを統括装置３０に送信してもよい。この場合には、会員サービスＩＤは上述のＳ７４５で会員システム２０の店舗端末２５２から携帯端末１０に送信される。
【０１４９】
次にＳ７７０において、登録処理部３３０は、統括会員記憶部３００をアクセスして、受信した統括会員コードに対応する統括会員ＩＤに対し、受信した会員サービスＩＤで表される会員サービスでの会員ＩＤ（例えば、第１会員ＩＤ）を対応付ける。これにより、統括会員に対応付けて、統括会員ＩＤおよび統括会員コードと、当該統括会員が利用する会員サービスの会員ＩＤとが記憶される。その結果、登録要求のあった会員サービスが統括サービスに登録される。
【０１５０】
次にＳ７７５において、登録処理部３３０は、統括サービスに登録した会員システム２０に対して登録通知を送信する。この登録通知には、Ｓ７６０で受信した会員システム２０の会員ＩＤが含まれてよい。
【０１５１】
次にＳ７８０において、会員システム２０の会員ＩＤ送信部２５５は、統括装置３０から会員ＩＤの統括サービスへの登録完了の通知を受信し、統括装置３０に確認応答を送信する。次にＳ７８５において、統括装置３０の登録処理部３３０は、会員システム２０からの確認応答を受信したことに応じて、携帯端末１０に登録完了の通知を送信する。
【０１５２】
次にＳ７９０において、携帯端末１０の登録要求処理部１３０は、登録完了の通知を統括装置３０から受け取る。登録要求処理部１３０は、当該通知を受け取ったことに応じて、携帯端末１０の表示装置により登録が完了したことを表示してよい。また、登録要求処理部１３０は、端末情報記憶領域１１２に、登録を要求した会員サービスの登録が完了した情報を書き込んでよい。
【０１５３】
［会員システム２０に対して登録要求する場合の会員サービスの登録（２）］
ここで、図１２を例に、複数の会員サービスを統括する統括サービスを携帯端末１０で利用するべく、携帯端末１０が会員システム２０に対する他の態様の登録要求により、未登録の会員サービスを統括サービスに登録する処理を説明する。
【０１５４】
図１２は、本実施形態に係る携帯端末１０が会員サービスを登録するための処理フローを示す。統括システム１は、Ｓ８４５からＳ８８５の処理を実行することにより、複数の会員サービスを統括サービスに登録させ、会員サービスを提供する会員システム２０と、統括サービスを提供する統括装置３０と連携させる。なお、この登録処理では、会員システム２０が営業する店舗、または会員システム２０が運営するウェブサイト等において当該会員システムが提供する会員サービスに対して統括会員が新たに入会することにより統括サービスへの登録要求が行われ、処理が開始される。この処理の開始時点においては、統括会員の属性情報を会員システム２０が取得していなくてもよい。
【０１５５】
まず、Ｓ８４５において、会員システム２０の入力画面送信部２２０が統括会員の携帯端末１０に入力画面フォームを送信する。これにより、携帯端末１０には、統括会員に統括会員ＩＤを入力させる入力画面が表示される。例えば、入力画面送信部２２０は、統括会員ＩＤに加えて、登録対象の会員サービスにおいて統括会員に対応付けられている識別情報（例えば、会員ＩＤ、会員認証用ＩＤおよび会員コードの何れか）を合わせて入力させる入力画面を表示させてよい。
【０１５６】
次にＳ８５０において、携帯端末１０に表示された入力画面に対し、統括会員が自身の有する統括会員ＩＤを入力する。このとき統括会員は、登録対象の会員サービスにおいて統括会員に対応付けられている会員ＩＤなどの識別情報を合わせて入力してよい。
【０１５７】
次にＳ８５５において、入力された統括会員ＩＤなどを、アクセス処理部１４０が会員システム２０に送信する。これにより、入力画面に対して入力された統括会員ＩＤを携帯端末１０から統括会員ＩＤ取得部２３０が取得する。
【０１５８】
次に、Ｓ８６０において、会員システム２０の会員ＩＤ送信部２５５は、当該会員システム２０が提供する会員サービスの会員サービスＩＤと、Ｓ８５５によって受信した統括会員ＩＤを統括装置３０に送信する。また、Ｓ８５５において統括会員ＩＤと合わせて会員ＩＤが送信された場合には、会員ＩＤ送信部２５５は、当該会員ＩＤを統括会員ＩＤと合わせて統括装置３０に送信する。一方、Ｓ８５５において統括会員ＩＤと合わせて会員認証用ＩＤまたは会員コードが送信された場合には、会員ＩＤ送信部２５５は、会員ＩＤ記憶部２１０から、対応する会員ＩＤを読み出して、統括会員ＩＤと合わせて統括装置３０に送信する。これらの送信内容は統括装置３０の会員ＩＤ受信部３２０で受信されることにより、統括サービスにおいて当該統括会員ＩＤに対し、会員サービスＩＤで表される会員サービスでの当該会員ＩＤを対応付けることが統括装置３０に対して指示される。
【０１５９】
なお、統括装置３０に統括会員ＩＤが送信された後には、当該統括会員ＩＤは会員システム２０内で消去されてもよいし、携帯端末１０の利用者が当該会員システム２０の会員サービス内で有する会員ＩＤに対応付けられて会員ＩＤ記憶部２１０に記憶されてもよい。
【０１６０】
また、統括システム１が上述のＳ８５５およびＳ８６０の処理を行う代わりに、携帯端末１０がネットワーク２を介して直接、統括会員ＩＤ及び会員ＩＤと、会員システム２０に対応する会員サービスＩＤとを統括装置３０に送信してもよい。この場合には、会員サービスＩＤは上述のＳ８４５で会員システム２０の入力画面送信部２２０から携帯端末１０に送信される。
【０１６１】
次にＳ８６５において、登録処理部３３０は、統括会員記憶部３００をアクセスして、受信した統括会員ＩＤに対し、受信した会員サービスＩＤで表される会員サービスでの会員ＩＤ（例えば、第１会員ＩＤ）を対応付ける。これにより、会員システム２０からの要求に応じて、統括会員ＩＤおよび統括会員コードと、当該統括会員が利用する会員サービスの会員ＩＤとが統括会員に対応付けて記憶される。その結果、登録要求のあった会員サービスが統括サービスに登録される。
【０１６２】
次に、Ｓ８６７において、属性情報取得部３１０が統括会員の属性情報を取得して、属性情報提供部３１５に提供する。例えば、属性情報取得部３１０は、属性情報を属性情報記憶部３０１から読み出して取得してもよいし、携帯端末１０の記憶領域１１５から新たに送信させて取得してもよい。
【０１６３】
次にＳ８７０において、属性情報提供部３１５が統括サービスに登録した会員システム２０に対して統括会員の属性情報を送信し、会員ＩＤ記憶部２１０に記憶させるとともに、登録処理部３３０が当該会員システム２０に対して登録通知を送信する。この登録通知には、Ｓ８６０で受信した会員システム２０の会員ＩＤが含まれてよい。
【０１６４】
次にＳ８７５において、会員システム２０の会員ＩＤ送信部２５５は、統括装置３０から会員ＩＤの統括サービスへの登録完了の通知を受信し、統括装置３０に確認応答を送信する。次にＳ８８０において、統括装置３０の登録処理部３３０は、会員システム２０からの確認応答を受信したことに応じて、携帯端末１０に登録完了の通知を送信する。
【０１６５】
次にＳ８８５において、携帯端末１０の登録要求処理部１３０は、登録完了の通知を統括装置３０から受け取る。登録要求処理部１３０は、当該通知を受け取ったことに応じて、携帯端末１０の表示装置により登録が完了したことを表示してよい。また、登録要求処理部１３０は、端末情報記憶領域１１２に、登録を要求した会員サービスの登録が完了した情報を書き込んでよい。
【０１６６】
［統括サービスの提供］
ここで、図１３を例に、本実施形態の統括システム１により、統括サービスを提供する処理を説明する。
【０１６７】
図１３は、複数の会員サービスを統括する統括サービスを提供するための処理フローを示す。統括システム１は、Ｓ９１０からＳ１０２０の処理を実行することにより、会員システム２０に会員ＩＤを取得させ、会員サービスを提供させる。
【０１６８】
まず、Ｓ９１０において、会員システム２０の会員ＩＤ取得部２５０は、携帯端末１０の利用者である統括会員の統括会員コードの要求を携帯端末１０に送信する。例えば、会員ＩＤ取得部２５０に含まれる店舗端末２５２に接続されたＩＣカードリーダ・ライタは、店舗を訪れた利用者の携帯端末１０の記憶領域１１５として機能するＩＣチップに対して、統括会員コードの要求を送信する。
【０１６９】
次に、Ｓ９２０において、携帯端末１０の統括コード送信部１７０は、会員システム２０の店舗端末２５２から統括会員コードの要求を受信したことに応じて、記憶領域１１５から統括会員コードを読み出す。
【０１７０】
次に、Ｓ９３０において、統括コード送信部１７０は、読み出した統括会員コードを会員システム２０の店舗端末２５２のＩＣカードリーダ・ライタに送信する。
【０１７１】
次に、Ｓ９４０において、会員ＩＤ取得部２５０は、店舗端末２５２のＩＣカードリーダ・ライタにより携帯端末１０の統括会員コードを受信する。会員ＩＤ取得部２５０は、取得した統括会員コードを統括コード送信部２６０に供給する。
【０１７２】
次に、Ｓ９５０において、統括コード送信部２６０は、取得した統括会員コードおよび自身の属する会員システム２０が提供する会員サービスを識別する会員サービスＩＤを統括装置３０へと送信する。
【０１７３】
なお、統括装置３０に統括会員コードが送信された後には、当該統括会員コードは会員システム２０内で消去されてもよいし、携帯端末１０の利用者が当該会員システム２０の会員サービス内で有する会員ＩＤに対応付けられて会員ＩＤ記憶部２１０に記憶されてもよい。
【０１７４】
また、統括システム１が上述のＳ９３０およびＳ９４０の処理を行う代わりに、携帯端末１０がネットワーク２を介して直接、統括会員コードおよび会員サービスＩＤを統括装置３０に送信してもよい。この場合には、会員サービスＩＤは上述のＳ９１０で会員システム２０の店舗端末２５２から携帯端末１０に送信される。
【０１７５】
次に、Ｓ９６０において、統括装置３０の統括コード受信部３６０は、会員システム２０から統括会員コードおよび会員サービスＩＤを受信する。統括コード受信部３６０は、受信した統括会員コードおよび会員サービスＩＤを会員ＩＤ取得部３７０に供給する。
【０１７６】
次に、Ｓ９７０において、会員ＩＤ取得部３７０は、統括会員記憶部３００を照会して、受信した統括会員コードに対応付けられた、会員サービスＩＤに係る会員サービスの会員ＩＤを取得する。会員ＩＤ取得部３７０は、取得した会員ＩＤを会員ＩＤ提供部３８０に供給する。
【０１７７】
次に、Ｓ９８０において、会員ＩＤ提供部３８０は、会員ＩＤ提供部３８０から提供された会員ＩＤを、会員システム２０に送信する。なお、統括装置３０がメンテナンス中の場合、会員ＩＤ提供部３８０は、会員ＩＤを提供できないことを会員システム２０に通知してもよい。また、携帯端末１０の利用者が会員サービスを統括サービスに未登録である等の理由により、会員ＩＤ取得部３７０が会員ＩＤを取得できなかった場合、会員ＩＤ提供部３８０は、会員ＩＤが取得できなかったことを会員システム２０に通知してもよい。
【０１７８】
次に、Ｓ９９０において、会員システム２０の会員ＩＤ受信部２７０は、統括装置３０から当該会員システム２０に係る会員サービスの会員ＩＤを受信する。会員ＩＤ受信部２７０は、受信した会員ＩＤを会員サービス提供部２９０に供給する。
【０１７９】
次に、Ｓ１０００において、会員サービス提供部２９０は、会員ＩＤ記憶部２１０を照会して、会員サービスにおける会員ＩＤに係る会員に対して、予め定められた会員サービスを提供する。例えば、会員サービス提供部２９０は、受信した会員サービスの会員ＩＤにより識別される会員に対し、ポイントの付与または利用、電子マネーの付与、キャッシュバック、クーポンの発行、および景品の授与の少なくとも１つの提供処理を行う。
【０１８０】
また、会員サービス提供部２９０は、会員サービスの会員ＩＤにより識別される会員に対し、会員サービスによる決済処理（例えば、クレジットカード決済または電子マネー決済）を行ってもよい。この場合、Ｓ９１０〜Ｓ９６０の処理は、店舗端末２５２が利用者の商品購入等の決済処理を行う際に実行してよい。
【０１８１】
例えば、統括コード受信部３６０は、会員システム２０内の店舗端末２５２が、決済処理のために統括会員の携帯端末１０に記録された一の統括会員コードを読み取ったことに応じて、一の統括会員コードを受信することにより、Ｓ９１０〜Ｓ９６０の一連の処理を実行してよい。会員サービス提供部２９０は、決済処理とその他の会員サービスの提供（ポイントの付与または利用）とを並行して実行してよい。
【０１８２】
次に、Ｓ１０１０において、会員サービス提供部２９０は、会員サービスの提供結果を携帯端末１０に送信する。会員サービス提供部２９０は、会員ＩＤ記憶部２１０を照会して、会員サービスを提供する会員の現在の会員情報を取得して、これを当該会員の携帯端末１０に送信してもよい。
【０１８３】
次に、Ｓ１０２０において、携帯端末１０の会員情報処理部１８０は、会員サービスの提供結果の情報を受信して、表示装置に表示する。
【０１８４】
このように、会員システム２０は、携帯端末１０から取得した統括会員コードを統括装置３０に照会することにより、自身が提供する会員サービスで使用可能な会員ＩＤを取得し、携帯端末１０の利用者に会員サービスを提供することができる。なお、店舗端末２５２が携帯端末１０から会員サービス固有の会員コードを読み取ることができる場合、店舗端末２５２が携帯端末１０に記録された会員サービス固有の会員コードを読み取ったことに応じて、会員サービス提供部２９０が、当該会員コードに対応する会員に対して会員サービスを提供してもよい。
【０１８５】
図１４は、本実施形態の携帯端末１０の会員サービス提供結果画面の一例を示す。例えば、携帯端末１０の利用者である会員が会員サービス「ＡＡスポーツ」の店舗で商品購入する場合、「ＡＡスポーツ」を提供する会員システム２０は、図１３の処理を実行することにより、携帯端末１０の利用者に会員サービス（ポイント・スタンプの付与・消費、および／または、決済の実行等）を提供してよい。図１４の例においては、会員サービス提供部２９０が、利用者が用具を購入したことに応じて１０ポイントが付与されたことを示す。
【０１８６】
このように、本実施形態の統括システム１によると、統括装置３０が統括ＩＤと複数の会員サービスに係る会員ＩＤとを対応付けたデータを有するので、会員システム２０が店舗端末２５２を介して取得した統括ＩＤを統括装置３０に提供することにより、自身の会員システム２０でも用いられる会員ＩＤを取得することができる。これにより、携帯端末１０は、いずれの会員サービスに係る店舗等においても統括ＩＤを提供することにより、対応する会員サービスを享受することができる。
【０１８７】
［２つの携帯端末１０の間でのデータの引っ越し］
ここで、図１５から図１６を例に、新旧２つの携帯端末１０の間で統括サービスに関するデータの引っ越しを行う処理を説明する。データの引っ越し処理は、古い携帯端末１０と統括装置３０との間で前半部分が行われたのち、新しい携帯端末１０と統括装置３０との間で後半部分が行われる。
【０１８８】
始めに、引っ越し処理の前半部分について説明する。図１５は、古い方の携帯端末１０からデータを移行させるための処理フローを示す。統括システム１は、Ｓ１１００からＳ１１４０の処理を実行することにより、古い方の携帯端末１０に対する引っ越し処理を行う。
【０１８９】
まず、Ｓ１１００において、携帯端末１０の登録要求処理部１３０が、携帯端末１０の利用者である統括会員が入力した、データの引っ越し要求を取得する。例えば、登録要求処理部１３０は、携帯端末１０にダウンロードされた統括アプリケーションが起動され、当該統括アプリケーションにおいて統括会員がデータの引っ越し要求を入力したこと（例えば、アプリケーション画面で引っ越しボタンをタップした等）を検知する。
【０１９０】
次にＳ１１０５において、認証処理部１２０は、携帯端末１０の利用者に統括装置３０で認証を行うための、統括アプリケーションのパスワードを入力させる。また、更に、認証処理部１２０は、携帯端末１０で認証を行うための別のパスワードを利用者に入力させ、当該別のパスワードが正しいか否かのローカル認証を行ってもよい。例えば、認証処理部１２０は、利用者が入力したパスワードが端末情報記憶領域１１２に記憶された統括アプリケーションのパスワードと一致するか判断し、一致した場合に次の処理を進め、一致しない場合に再度パスワードを入力させるか、または処理を終了してよい。
【０１９１】
次にＳ１１１０において、登録要求処理部１３０は、統括アプリケーションのアプリケーションコードを端末情報記憶領域１１２から読み出す。次にＳ１１１５において、登録要求処理部１３０は、Ｓ１１１０で読み出したアプリケーションコードと、Ｓ１１０５で入力された、統括装置３０での認証用のパスワードとを統括装置３０に送信する。このとき、登録要求処理部１３０は、チェックコードも合わせて端末情報記憶領域１１２から読み出して統括装置３０に送信してもよい。
【０１９２】
次にＳ１１２０において、統括装置３０の認証処理部３９８は、送信されたアプリケーションコードおよびパスワードと、統括会員記憶部３００において送信元の携帯端末１０に対応付けられたアプリケーションコードおよびパスワードとが一致したことを必要条件として認証を成功させる。携帯端末１０からチェックコードも合わせて送信された場合には、認証処理部３９８は、送信されたアプリケーションコード、チェックコードおよびパスワードと、統括会員記憶部３００において送信元の携帯端末１０に対応付けられたアプリケーションコード、チェックコードおよびパスワードとが一致したことを必要条件として認証を成功させる。
【０１９３】
次にＳ１１２５において、登録処理部３３０は、統括会員コードの削除要求、および、新しい方の携帯端末１０で使用可能なメールアドレスの送信要求を、古い方の携帯端末１０に対して送信する。例えば、登録処理部３３０は、上述のＳ４４０と同様にして、携帯端末１０の記憶領域１１５を構成するＩＣチップを読み書きするためのコマンドデータＵＲＬおよびトランザクションＩＤを、統括システム１外の管理サーバーから取得し、当該コマンドデータＵＲＬおよびトランザクションＩＤを含む削除要求を携帯端末１０に送信してよい。
【０１９４】
次にＳ１１３０において、携帯端末１０の登録要求処理部１３０は、記憶領域１１５に記憶された統括会員コードを削除する。例えば、登録要求処理部１３０は、上述のＳ４４５と同様にしてＩＣチップにアクセスし、統括会員コードを削除してよい。
【０１９５】
次にＳ１１３５において、登録要求処理部１３０は、新しい方の携帯端末１０で使用可能なメールアドレスを取得して、統括装置３０に送信する。例えば、登録要求処理部１３０は、メールアドレスを入力させるための入力画面を、古い方の携帯端末１０の表示装置に表示させることで、携帯端末１０の利用者からメールアドレスを取得する。
【０１９６】
次にＳ１１４０において統括装置３０の登録処理部３３０は、受信したメールアドレスに引っ越しコードを送信する。例えば、登録処理部３３０は、引っ越し要求した利用者に対して一時的な引っ越しコードを割り当て、当該利用者の統括会員ＩＤに対応付けて統括会員記憶部３００に記憶させてよい。送信された引っ越しコードは、例えば新しい方の携帯端末１０で受信され、端末情報記憶領域１１２に保存される。なお、引っ越しコードが、利用者のパソコン等で受信され、手書きのメモ等により保存されてもよい。
【０１９７】
続いて、引っ越し処理の後半部分について説明する。図１６は、新しい方の携帯端末１０にデータを移行させるための処理フローを示す。統括システム１は、Ｓ１２００からＳ１２７５の処理を実行することにより、新しい方の携帯端末１０に対する引っ越し処理を行う。
【０１９８】
まず、Ｓ１２００において、新しい方の携帯端末１０の登録要求処理部１３０が利用者の操作に応じて統括アプリケーションをダウンロードする。例えば、登録要求処理部１３０は、統括装置３０が運営するウェブサイトから、統括アプリケーションをダウンロードする。
【０１９９】
次にＳ１２０３において、登録要求処理部１３０は、統括アプリケーションを起動する。統括アプリケーションがダウンロード後に初めて起動されると、登録要求処理部１３０は、その通知を統括装置３０に送信する。
【０２００】
次にＳ１２０５において、統括装置３０の登録処理部３３０は、ダウンロード先の携帯端末１０、つまり新しい方の携帯端末にアプリケーションコードを割り振る。なお、この時点ではダウンロード先の携帯端末１０の利用者情報などが統括会員記憶部３００に存在しないため、登録処理部３３０は、割り振ったアプリケーションコードを統括会員記憶部３００に一時記憶させてよい。
【０２０１】
次にＳ１２１０において、登録処理部３３０は、割り振られたアプリケーションコードを、ダウンロード先の携帯端末１０に送信する。次にＳ１２１５において、携帯端末１０の登録要求処理部１３０は、受信したアプリケーションコードを端末情報記憶領域１１２に格納する。
【０２０２】
次に、Ｓ１２２５において、登録要求処理部１３０は、携帯端末１０の利用者からデータの引っ越し処理の再開操作を受ける。例えば、登録要求処理部１３０は、起動された統括アプリケーションにおいて統括会員がデータの引っ越し処理の再開要求を入力したこと（例えば、アプリケーション画面で引っ越し再開ボタンをタップした等）を検知する。
【０２０３】
次にＳ１２３０において、登録要求処理部１３０は、新しい方の携帯端末１０の電話番号と、Ｓ１１４０で保存された引っ越しコードと、Ｓ１２１０で保存されたアプリケーションコードとを端末情報記憶領域１１２から読み出す。端末情報記憶領域１１２に引っ越しコードが保存されておらず、利用者による手書きのメモ等により保存されている場合には、登録要求処理部１３０は、引っ越しコードを入力させるための入力画面を、新しい方の携帯端末１０の表示装置に表示させることで、携帯端末１０の利用者から引っ越しコードを取得する。
【０２０４】
次にＳ１２３５において、登録要求処理部１３０は、利用者からパスワードの入力操作を受ける。例えば、登録要求処理部１３０は、パスワードを入力させるための入力画面を、携帯端末１０の表示装置に表示させることで、利用者からパスワードを取得する。このパスワードは、古い方の携帯端末１０において統括アプリケーションに対して利用者が設定したパスワードと同じであってよい。
【０２０５】
次にＳ１２４０において、登録要求処理部１３０は、Ｓ１２３０で読み出した電話番号、引っ越しコードおよびアプリケーションコードと、Ｓ１２３５で入力されたパスワードとを統括装置３０に送信する。
【０２０６】
次にＳ１２４５において、統括装置３０の認証処理部３９８は、受信した引っ越しコードにより統括会員を照合した後、受信したパスワードにより認証を行う。例えば、認証処理部３９８は、受信した引っ越しコードに対応付けられた統括会員ＩＤを統括会員記憶部３００から検出する。また、認証処理部３９８は、受信したパスワードと、検出された統括会員ＩＤに対して統括会員記憶部３００内で対応付けられたパスワードとが一致したことを必要条件として認証を成功させる。
【０２０７】
次にＳ１２５０において、登録処理部３３０は、Ｓ１２４５で検出された統括会員ＩＤに統括会員記憶部３００内で対応付けられたアプリケーションコードおよび属性情報内の電話番号を、受信したアプリケーションコードおよび電話番号で書き換える。このとき登録処理部３３０は、統括会員ＩＤに対応付けて統括会員記憶部３００に記憶された引っ越しコードを削除してよい。これにより、統括会員のステータスが引っ越し状態から通常状態に復帰する。
【０２０８】
次にＳ１２５３において登録処理部３３０は、利用者の統括会員コードを生成する。例えば、登録処理部３３０は、Ｓ１２４０で携帯端末１０から送信されたアプリケーションコードと、Ｓ１２４５で検出された統括会員ＩＤに対応付けられたチェックコードとから統括会員コードを生成する。生成された統括会員コードは、統括システム１外の管理サーバに格納されてよい。
【０２０９】
次にＳ１２５５において、登録処理部３３０は、統括装置３０側で引っ越し処理が完了したことを示す完了メッセージと、統括会員ＩＤに対応付けられたチェックコードとを、新しい方の携帯端末１０に送信する。例えば、登録処理部３３０は、上述のＳ４４０と同様にして、携帯端末１０の記憶領域１１５を構成するＩＣチップを読み書きするためのコマンドデータＵＲＬおよびトランザクションＩＤを、統括システム１外の管理サーバーから取得し、当該コマンドデータＵＲＬおよびトランザクションＩＤを含む完了メッセージを携帯端末１０に送信してよい。
【０２１０】
次にＳ１２６０において登録要求処理部１３０は、受信したチェックコードを端末情報記憶領域１１２に記憶させる。
【０２１１】
次にＳ１２６５において登録要求処理部１３０は、統括会員コードを取得する。例えば、登録要求処理部１３０は、ウェブプラグイン等を介して、完了メッセージを介して統括装置３０から受け取ったコマンドデータＵＲＬにアクセスし、統括装置３０から受け取ったトランザクションＩＤを送信する。管理サーバーはトランザクションＩＤがＳ１２５５で統括装置３０に供給したトランザクションＩＤと一致するか検証し、検証結果を含む処理終了データと、統括会員コードとを携帯端末１０の登録要求処理部１３０に供給する。
【０２１２】
次にＳ１２７０において登録要求処理部１３０は、処理終了データに基づき、暗号認証等を利用してＩＣチップにアクセスし、取得した統括会員コードを記憶領域１１５に格納する。そしてＳ１２７５において登録要求処理部１３０は、携帯端末１０の表示装置により引っ越し処理が完了したことを表示する。
【０２１３】
以上により、古い携帯端末１０で使用していた統括アプリケーションが新しい携帯端末１０で使用可能となる。
【０２１４】
図１７は、本実施形態に係るコンピュータ１９００の構成の一例を示す。本実施形態に係るコンピュータ１９００は、携帯端末１０、会員システム２０、統括装置３０、またはこれらの一部の要素としてそれぞれ機能する。
【０２１５】
本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＤＶＤドライブ２０６０を有する入出力部と、入出力コントローラ２０８４に接続されるＲＯＭ２０１０、フラッシュメモリ・ドライブ２０５０、及び入出力チップ２０７０を有するレガシー入出力部を備える。
【０２１６】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【０２１７】
入出力コントローラ２０８４は、ホスト・コントローラ２０８２と、比較的高速な入出力装置である通信インターフェイス２０３０、ハードディスクドライブ２０４０、ＤＶＤドライブ２０６０を接続する。通信インターフェイス２０３０は、有線又は無線によりネットワークを介して他の装置と通信する。また、通信インターフェイスは、通信を行うハードウェアとして機能する。ハードディスクドライブ２０４０は、コンピュータ１９００内のＣＰＵ２０００が使用するプログラム及びデータを格納する。ＤＶＤドライブ２０６０は、ＤＶＤ２０９５からプログラム又はデータを読み取り、ＲＡＭ２０２０を介してハードディスクドライブ２０４０に提供する。
【０２１８】
また、入出力コントローラ２０８４には、ＲＯＭ２０１０と、フラッシュメモリ・ドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。フラッシュメモリ・ドライブ２０５０は、フラッシュメモリ２０９０からプログラム又はデータを読み取り、ＲＡＭ２０２０を介してハードディスクドライブ２０４０に提供する。入出力チップ２０７０は、フラッシュメモリ・ドライブ２０５０を入出力コントローラ２０８４へと接続するとともに、例えばパラレル・ポート、シリアル・ポート、キーボード・ポート、マウス・ポート等を介して各種の入出力装置を入出力コントローラ２０８４へと接続する。
【０２１９】
ＲＡＭ２０２０を介してハードディスクドライブ２０４０に提供されるプログラムは、フラッシュメモリ２０９０、ＤＶＤ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【０２２０】
コンピュータ１９００にインストールされ、コンピュータ１９００を携帯端末１０の少なくとも一部として機能させるプログラムは、登録要求処理モジュール、アクセス処理モジュール、記憶領域読出モジュール、認証処理モジュール、会員ＩＤ送信モジュール、領域コード取得モジュール、会員情報処理モジュール、および、統括コード送信モジュールのうち少なくとも１つを備える。これらのプログラム又はモジュールは、ＣＰＵ２０００等に働きかけて、コンピュータ１９００を、登録要求処理部１３０、アクセス処理部１４０、記憶領域読出部１６０、認証処理部１２０、会員ＩＤ送信部１６５、領域コード取得部１２５、会員情報処理部１８０、および統括コード送信部１７０としてそれぞれ機能させてよい。
【０２２１】
これらのプログラムに記述された情報処理は、コンピュータ１９００に読込まれることにより、ソフトウェアと上述した各種のハードウェア資源とが協働した具体的手段であるＣＰＵ２０００等に働きかけて、コンピュータ１９００を、登録要求処理部１３０、アクセス処理部１４０、記憶領域読出部１６０、認証処理部１２０、会員ＩＤ送信部１６５、領域コード取得部１２５、会員情報処理部１８０、および統括コード送信部１７０として機能させる。そして、これらの具体的手段によって、本実施形態におけるコンピュータ１９００の使用目的に応じた情報の演算又は加工を実現することにより、使用目的に応じた特有の携帯端末１０が構築される。
【０２２２】
コンピュータ１９００にインストールされ、コンピュータ１９００を会員システム２０の少なくとも一部として機能させるプログラムは、入力画面送信モジュール、統括会員ＩＤ取得モジュール、会員情報処理モジュール、会員ＩＤ取得モジュール、会員ＩＤ送信モジュール、統括コード送信モジュール、会員ＩＤ受信モジュール、および会員サービス提供モジュールのうち少なくとも１つを備える。これらのプログラム又はモジュールは、ＣＰＵ２０００等に働きかけて、コンピュータ１９００を、入力画面送信部２２０、統括会員ＩＤ取得部２３０、会員情報処理部２４２、会員ＩＤ取得部２５０、会員ＩＤ送信部２５５、統括コード送信部２６０、会員ＩＤ受信部２７０、および会員サービス提供部２９０としてそれぞれ機能させてよい。
【０２２３】
これらのプログラムに記述された情報処理は、コンピュータ１９００に読込まれることにより、ソフトウェアと上述した各種のハードウェア資源とが協働した具体的手段であるＣＰＵ２０００等に働きかけて、コンピュータ１９００を、入力画面送信部２２０、統括会員ＩＤ取得部２３０、会員情報処理部２４２、会員ＩＤ取得部２５０、会員ＩＤ送信部２５５、統括コード送信部２６０、会員ＩＤ受信部２７０、および会員サービス提供部２９０として機能させる。そして、これらの具体的手段によって、本実施形態におけるコンピュータ１９００の使用目的に応じた情報の演算又は加工を実現することにより、使用目的に応じた特有の会員システム２０が構築される。
【０２２４】
コンピュータ１９００にインストールされ、コンピュータ１９００を統括装置３０の少なくとも一部として機能させるプログラムは、統括コード取得モジュール、属性情報取得モジュール、属性情報提供モジュール、会員ＩＤ受信モジュール、登録処理モジュール、統括コード受信モジュール、会員ＩＤ取得モジュール、会員ＩＤ提供モジュール、認証要求受信モジュール、読出要求送信モジュール、読出応答受信モジュール、および認証処理モジュールのうち少なくとも１つを備える。これらのプログラム又はモジュールは、ＣＰＵ２０００等に働きかけて、コンピュータ１９００を、統括コード取得部３０２、属性情報取得部３１０、属性情報提供部３１５、会員ＩＤ受信部３２０、登録処理部３３０、統括コード受信部３６０、会員ＩＤ取得部３７０、会員ＩＤ提供部３８０、認証要求受信部３９２、読出要求送信部３９４、読出応答受信部３９６、および認証処理部３９８としてそれぞれ機能させてよい。
【０２２５】
これらのプログラムに記述された情報処理は、コンピュータ１９００に読込まれることにより、ソフトウェアと上述した各種のハードウェア資源とが協働した具体的手段であるＣＰＵ２０００等に働きかけて、コンピュータ１９００を、統括コード取得部３０２、属性情報取得部３１０、属性情報提供部３１５、会員ＩＤ受信部３２０、登録処理部３３０、統括コード受信部３６０、会員ＩＤ取得部３７０、会員ＩＤ提供部３８０、認証要求受信部３９２、読出要求送信部３９４、読出応答受信部３９６、および認証処理部３９８として機能させる。そして、これらの具体的手段によって、本実施形態におけるコンピュータ１９００の使用目的に応じた情報の演算又は加工を実現することにより、使用目的に応じた特有の統括装置３０が構築される。
【０２２６】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスクドライブ２０４０、フラッシュメモリ２０９０、又はＤＶＤ２０９５等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の通信インターフェイス２０３０又は記憶装置へとデータを書き込むことにより送受信データを転送してもよい。
【０２２７】
また、ＣＰＵ２０００は、ハードディスクドライブ２０４０、ＤＶＤドライブ２０６０（ＤＶＤ２０９５）、フラッシュメモリ・ドライブ２０５０（フラッシュメモリ２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。このような処理において、ＲＡＭ２０２０は、外部記憶装置の内容を一時的に保持するものとみなせるから、本実施形態においてはＲＡＭ２０２０及び外部記憶装置等をメモリ、記憶部、または記憶装置等と総称する。
【０２２８】
例えば、端末情報記憶領域１１２、会員ＩＤ記憶部２１０、および統括会員記憶部３００は、それぞれ携帯端末１０の要素、会員システム２０の要素、および統括装置３０の要素から受け取った及び／又はこれらへ提供するデータを適宜記憶してよい。携帯端末１０、会員システム２０、および統括装置３０は、端末情報記憶領域１１２、会員ＩＤ記憶部２１０、および統括会員記憶部３００以外に、適宜本実施形態の処理前、処理中、処理後のデータを記憶する記憶装置を備えてよい。
【０２２９】
本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【０２３０】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすか否かを判断し、条件が成立した場合（又は不成立であった場合）に、異なる命令列へと分岐し、またはサブルーチンを呼び出す。
【０２３１】
また、ＣＰＵ２０００は、記憶装置内のファイルまたはデータベース等に格納された情報を検索することができる。例えば、第１属性の属性値に対し第２属性の属性値がそれぞれ対応付けられた複数のエントリが記憶装置に格納されている場合において、ＣＰＵ２０００は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【０２３２】
また、実施形態の説明において複数の要素が列挙された場合には、列挙された要素以外の要素を用いてもよい。例えば、「Ｘは、Ａ、Ｂ及びＣを用いてＹを実行する」と記載される場合、Ｘは、Ａ、Ｂ及びＣに加え、Ｄを用いてＹを実行してもよい。
【０２３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０２３４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０２３５】
１  統括システム
２  ネットワーク
１０  携帯端末
２０  会員システム
３０  統括装置
１１５  記憶領域
１１２  端末情報記憶領域
１２０  認証処理部
１２５  領域コード取得部
１３０  登録要求処理部
１４０  アクセス処理部
１６０  記憶領域読出部
１６５  会員ＩＤ送信部
１７０  統括コード送信部
１８０  会員情報処理部
２１０  会員ＩＤ記憶部
２２０  入力画面送信部
２３０  統括会員ＩＤ取得部
２５５  会員ＩＤ送信部
２４２  会員情報処理部
２５０  会員ＩＤ取得部
２５２  店舗端末
２５５  会員ＩＤ送信部
２６０  統括コード送信部
２７０  会員ＩＤ受信部
２９０  会員サービス提供部
３００  統括会員記憶部
３０１  属性情報記憶部
３０２  統括コード取得部
３１０  属性情報取得部
３１５  属性情報提供部
３２０  会員ＩＤ受信部
３３０  登録処理部
３５０  登録情報処理部
３６０  統括コード受信部
３７０  会員ＩＤ取得部
３８０  会員ＩＤ提供部
３９２  認証要求受信部
３９４  読出要求送信部
３９６  読出応答受信部
３９８  認証処理部
１９００  コンピュータ
２０００  ＣＰＵ
２０１０  ＲＯＭ
２０２０  ＲＡＭ
２０３０  通信インターフェイス
２０４０  ハードディスクドライブ
２０５０  フラッシュメモリ・ドライブ
２０６０  ＤＶＤドライブ
２０７０  入出力チップ
２０７５  グラフィック・コントローラ
２０８０  表示装置
２０８２  ホスト・コントローラ
２０８４  入出力コントローラ
２０９０  フラッシュメモリ
２０９５  ＤＶＤ
【図１】
2017097486.tif 000003
【図２】
2017097486.tif 000004
【図３】
2017097486.tif 000005
【図４】
2017097486.tif 000006
【図５】
2017097486.tif 000007
【図６】
2017097486.tif 000008
【図７】
2017097486.tif 000009
【図８】
2017097486.tif 000010
【図９】
2017097486.tif 000011
【図１０】
2017097486.tif 000012
【図１１】
2017097486.tif 000013
【図１２】
2017097486.tif 000014
【図１３】
2017097486.tif 000015
【図１４】
2017097486.tif 000016
【図１５】
2017097486.tif 000017
【図１６】
2017097486.tif 000018
【図１７】
2017097486.tif 000019